(57)【要約】  ヒートポンプシステム（１）の制御部（１ａ）は、暖房運転時に、出口冷媒過冷却度（ＳＣｕ）が目標出口冷媒過冷却度（ＳＣｕｓ）になるように利用側膨張弁（８２ａ、８２ｂ）を制御し、出口冷媒過熱度（ＳＨｈ）が目標出口冷媒過熱度（ＳＨｈｓ）になるように熱源側膨張弁（２８）を制御する。さらに、制御部（１ａ）は、利用側膨張弁（８２ａ、８２ｂ）が冷媒回収開始開度（ＯＰｃｓ）よりも開いた場合に、熱源側熱交換器（２８）の出口における冷媒が湿り状態になるように目標出口冷媒過熱度（ＳＨｈｓ）を変更し、利用側膨張弁（８２ａ、８２ｂ）が冷媒回収終了開度（ＯＰｃｅ）よりも閉まった場合に、目標出口冷媒過熱度（ＳＨｈｓ）の変更を解除する冷媒回収制御を行う。
2011092742.tif 000002
【特許請求の範囲】
【請求項１】
冷媒を圧縮する圧縮機（２１）と熱源側熱交換器（２６）と熱源側膨張弁（２８）と前記圧縮機の吸入に接続されたアキュムレータ（３２）とを有する熱源ユニット（２）に、利用側膨張弁（４２ａ、４２ｂ、８２ａ、８２ｂ）と利用側熱交換器（４１ａ、４１ｂ、８１ａ、８１ｂ）とを有する利用ユニット（４ａ、４ｂ、８ａ、８ｂ、１０４ａ、１０４ｂ）を接続して構成される冷媒回路（２０、１２０）と、
前記利用側熱交換器を冷媒の放熱器として機能させる加熱運転を行い、前記加熱運転時に、前記利用側熱交換器の出口における冷媒の過冷却度である出口冷媒過冷却度が所定の目標出口冷媒過冷却度になるように前記利用側膨張弁を制御する制御部（１ａ、１０１ａ、２０１ａ）とを備え、
前記制御部は、冷媒の蒸発器として機能する前記熱源側熱交換器の出口における冷媒の過熱度である出口冷媒過熱度が所定の目標出口冷媒過熱度になるように前記熱源側膨張弁を制御し、前記利用側膨張弁が所定の冷媒回収開始開度よりも開いた場合に、前記熱源側熱交換器の出口における冷媒が湿り状態になるように前記目標出口冷媒過熱度を変更し、前記目標出口冷媒過熱度を変更した状態において、前記利用側膨張弁が所定の冷媒回収終了開度よりも閉まった場合に、前記目標出口冷媒過熱度の変更を解除する、冷媒回収制御を行う、
ヒートポンプシステム（１、１０１、２０１）。
【請求項２】
前記制御部（１ａ、１０１ａ、２０１ａ）は、前記冷媒回収制御時に、前記目標出口冷媒過熱度を０℃未満に変更する、請求項１に記載のヒートポンプシステム（１、１０１、２０１）。
【請求項３】
前記制御部（１ａ、１０１ａ、２０１ａ）は、前記冷媒回収制御を行わない時に、前記目標出口冷媒過熱度を０℃〜１℃に設定する、請求項２に記載のヒートポンプシステム（１、１０１、２０１）。
【請求項４】
前記冷媒回収終了開度は、前記冷媒回収開始開度よりも小さい、請求項１〜３のいずれか１項に記載のヒートポンプシステム（１、１０１、２０１）。
【請求項５】
前記制御部（１ａ、１０１ａ、２０１ａ）は、前記圧縮機（２１）の吐出における冷媒の過熱度である吐出冷媒過熱度が所定の下限吐出過熱度よりも小さい場合に、前記冷媒回収制御よりも優先して、前記出口冷媒過熱度が大きくなるように前記目標出口冷媒過熱度を変更するオーバーフロー防止制御を行う、請求項１〜４のいずれか１項に記載のヒートポンプシステム（１、１０１、２０１）。
【請求項６】
前記制御部（１ａ、１０１ａ、２０１ａ）は、前記利用側膨張弁（４２ａ、４２ｂ、８２ａ、８２ｂ）が所定の冷媒排出開始開度よりも閉まった場合に、前記出口冷媒過熱度が大きくなるように前記目標出口冷媒過熱度を変更し、前記目標出口冷媒過熱度を変更した状態において、前記利用側膨張弁が所定の冷媒排出終了開度よりも開いた場合に、前記目標出口冷媒過熱度の変更を解除する、冷媒排出制御を行う、請求項１〜５のいずれか１項に記載のヒートポンプシステム（１、１０１、２０１）。
【請求項７】
前記制御部（１ａ、１０１ａ、２０１ａ）は、前記前記冷媒回収制御及び冷媒排出制御を行わない時に、前記目標出口冷媒過熱度を０℃〜１℃に設定する、請求項６に記載のヒートポンプシステム（１、１０１、２０１）。
【請求項８】
前記制御部（１ａ、１０１ａ、２０１ａ）は、前記冷媒排出制御時に、前記目標出口冷媒過熱度を２℃以上に変更する、請求項７に記載のヒートポンプシステム（１、１０１、２０１）。
【請求項９】
前記冷媒排出開始開度は、前記冷媒排出終了開度よりも小さい、請求項６〜８のいずれか１項に記載のヒートポンプシステム（１、１０１、２０１）。
【請求項１０】
前記制御部（１ａ、１０１ａ、２０１ａ）は、前記加熱運転の開始時に、前記熱源側膨張弁（２８）を最大開度の３０％以下の開度に設定し、前記利用側膨張弁（４２ａ、４２ｂ、８２ａ、８２ｂ）を最大開度の５０％以上の開度に設定する、請求項１〜９のいずれか１項に記載のヒートポンプシステム（１、１０１、２０１）。
【発明の詳細な説明】
【技術分野】
【０００１】
本発明は、ヒートポンプシステム、特に、アキュムレータを有する熱源ユニットに利用ユニットを接続して構成されたヒートポンプシステムに関する。
【背景技術】
【０００２】
従来より、特許文献１（特開２００７−１６３０９９号公報）に示す空気調和装置がある。この空気調和装置（ヒートポンプシステム）は、圧縮機、熱源側熱交換器、室外膨張弁（熱源側膨張弁）、バイパス冷媒回路（吸入戻し管）、及び、アキュムレータを有する室外ユニット（熱源ユニット）に、室内膨張弁（利用側膨張弁）及び利用側熱交換器を有する室内ユニット（利用ユニット）を接続して構成されている。この空気調和装置では、利用側熱交換器を冷媒の放熱器として機能させる暖房運転（加熱運転）時に、利用側熱交換器の出口における冷媒の過冷却度である出口冷媒過冷却度が所定の目標出口冷媒過冷却度になるように、利用側熱交換器の出口に接続された利用側膨張弁を制御する。ここで、アキュムレータは、圧縮機の吸入に接続されている。また、熱源側膨張弁は、加熱運転時における熱源側熱交換器の入口に接続されている。また、吸入戻し管は、利用側熱交換器と熱源側熱交換器とを接続する液冷媒管のうち利用側膨張弁から熱源側膨張弁までの間の部分とアキュムレータの入口とを接続している。
【発明の概要】
【０００３】
上記従来のヒートポンプシステムでは、液冷媒管の長さが長くなる場合があり、加熱運転時に冷媒回路内に多量の余剰冷媒が発生しやすい。
これに対して、加熱運転時に、吸入戻し管を通じて液冷媒管からアキュムレータに冷媒を回収して余剰冷媒としてアキュムレータに溜める制御を行うことが考えられる。
しかし、この吸入戻し管を用いてアキュムレータに冷媒を回収する制御では、吸入戻し管を流れる冷媒の流量が増加し、これにより、熱源側熱交換器を流れる冷媒の流量が減少して、熱源側熱交換器の出口における冷媒の過熱度が高くなる傾向になる。そして、この過熱度の大きい冷媒がアキュムレータに流入すると、冷媒自身が保有する熱によって、アキュムレータ内の冷媒が加熱されて蒸発し、アキュムレータ内から冷媒が圧縮機の吸入に放出される現象が生じる。すなわち、吸入戻し管を用いてアキュムレータに冷媒を回収する制御を行うと、アキュムレータ内から冷媒が放出される現象を引き起こすことになる。
このように、吸入戻し管を用いてアキュムレータに冷媒を回収する制御を行ったとしても、アキュムレータへの冷媒の回収とアキュムレータからの冷媒の放出とを繰り返すような不安定な回収動作が生じやすい。その結果、アキュムレータに冷媒を安定的に回収する制御を行うことは困難になる。
本発明の課題は、アキュムレータを有する熱源ユニットに利用ユニットを接続して構成されたヒートポンプシステムにおいて、加熱運転時に、冷媒をアキュムレータに安定的に回収して余剰冷媒として溜めることができるようにすることにある。
【０００４】
本発明の第１観点にかかるヒートポンプシステムは、冷媒回路と制御部とを有する。冷媒回路は、冷媒を圧縮する圧縮機と熱源側熱交換器と熱源側膨張弁と圧縮機の吸入に接続されたアキュムレータとを有する熱源ユニットに、利用側膨張弁と利用側熱交換器とを有する利用ユニットを接続して構成される。制御部は、利用側熱交換器を冷媒の放熱器として機能させる加熱運転を行い、加熱運転時に、利用側熱交換器の出口における冷媒の過冷却度である出口冷媒過冷却度が所定の目標出口冷媒過冷却度になるように利用側膨張弁を制御する。そして、制御部は、冷媒の蒸発器として機能する熱源側熱交換器の出口における冷媒の過熱度である出口冷媒過熱度が所定の目標出口冷媒過熱度になるように熱源側膨張弁を制御する。そして、制御部は、冷媒回収制御を行う。冷媒回収制御は、利用側膨張弁が所定の冷媒回収開始開度よりも開いた場合に、熱源側熱交換器の出口における冷媒が湿り状態になるように目標出口冷媒過熱度を変更する。そして、目標出口冷媒過熱度を変更した状態において、利用側膨張弁が所定の冷媒回収終了開度よりも閉まった場合に、目標出口冷媒過熱度の変更を解除する。
【０００５】
加熱運転時において、冷媒回路内に余剰冷媒が発生すると、冷媒の凝縮器として機能する利用側熱交換器に冷媒が溜まりやすくなる。このため、出口冷媒過冷却度が目標出口冷媒過冷却度になるように利用側膨張弁を制御していると、利用側膨張弁が開く方向に動作して、利用側膨張弁の開度が適正な範囲よりも大きくなる傾向になる。しかし、余剰冷媒がアキュムレータ内に溜められると、冷媒の凝縮器として機能する利用側熱交換器に溜まる冷媒が少なくなる。このため、出口冷媒過冷却度が目標出口冷媒過冷却度になるように利用側膨張弁を制御していると、利用側膨張弁が閉まる方向に動作して、利用側膨張弁の開度が適正な範囲まで小さくなる傾向になる。
このヒートポンプシステムでは、出口冷媒過冷却度が目標出口冷媒過冷却度になるように制御している時の利用側膨張弁の動作傾向を用いて、余剰冷媒の有無を判定することができる。すなわち、このヒートポンプシステムでは、利用側膨張弁が冷媒回収開始開度よりも開いたことを検知することによって、余剰冷媒が発生しているものと判定することができる。また、このヒートポンプシステムでは、利用側膨張弁が冷媒回収終了開度よりも閉まったことを検知することによって、冷媒がアキュムレータ内に余剰冷媒として溜められたものと判定することができる。
【０００６】
そして、このヒートポンプシステムでは、利用側膨張弁が冷媒回収開始開度よりも開いた場合に、熱源側膨張弁を用いて冷媒回収制御を行う。すなわち、出口冷媒過熱度が目標出口冷媒過熱度になるように熱源側膨張弁を制御し、利用側膨張弁が冷媒回収開始開度よりも開いた場合に、熱源側熱交換器の出口における冷媒が湿り状態になるように目標出口冷媒過熱度を変更することによって、熱源側膨張弁を開く方向に動作させる。これにより、冷媒を湿り状態のままでアキュムレータに流入させて、アキュムレータ内の冷媒を加熱して蒸発させることなく、アキュムレータ内に冷媒を安定的に回収して余剰冷媒として溜めることができる。また、このヒートポンプシステムでは、利用側膨張弁が冷媒回収終了開度よりも閉まった場合に、目標出口冷媒過熱度の変更を解除することによって、熱源側膨張弁を閉める方向に動作させる。これにより、冷媒回収制御を適切に完了させることができる。
このヒートポンプシステムでは、上記の冷媒回収制御を採用しているため、加熱運転時に、吸入戻し管を用いてアキュムレータに冷媒を回収する制御を採用する場合に比べて、冷媒をアキュムレータに安定的に回収して余剰冷媒として溜めることができる。
【０００７】
本発明の第２観点にかかるヒートポンプシステムは、第１観点にかかるヒートポンプシステムにおいて、制御部は、冷媒回収制御時に、目標出口冷媒過熱度を０℃未満に変更する。
このヒートポンプシステムでは、冷媒回収制御時に、目標出口冷媒過熱度を０℃未満に変更することによって、熱源側膨張弁を開く方向に動作させるようにしているため、熱源側熱交換器の出口における冷媒を確実に湿り状態にすることができる。
【０００８】
本発明の第３観点にかかるヒートポンプシステムは、第２観点にかかるヒートポンプシステムにおいて、制御部は、冷媒回収制御を行わない時に、目標出口冷媒過熱度を０℃〜１℃に設定する。
このヒートポンプシステムでは、冷媒回収制御を行わない時に、目標出口冷媒過熱度を０℃〜１℃に設定して熱源側膨張弁を制御しているため、熱源側熱交換器の出口における冷媒が飽和ガス状態に近い状態になり、熱源側膨張弁の開度変化が少ない状態になる。これにより、冷媒回収制御を行わない時の運転状態が安定し、利用側膨張弁の動作傾向を用いた余剰冷媒の有無の判定における判定精度を高めることができる。
【０００９】
本発明の第４観点にかかるヒートポンプシステムは、第１〜第３観点のいずれかにかかるヒートポンプシステムにおいて、冷媒回収終了開度は、冷媒回収開始開度よりも小さい。
このヒートポンプシステムでは、冷媒回収終了開度が冷媒回収開始開度よりも小さいため、アキュムレータへの冷媒回収を十分に行うことができる。
【００１０】
本発明の第５観点にかかるヒートポンプシステムは、第１〜第４観点のいずれかにかかるヒートポンプシステムにおいて、制御部は、冷媒回収制御よりも優先して、オーバーフロー防止制御を行う。オーバーフロー防止制御は、圧縮機の吐出における冷媒の過熱度である吐出冷媒過熱度が所定の下限吐出過熱度よりも小さい場合に、出口冷媒過熱度が大きくなるように目標出口冷媒過熱度を変更する。
上記の冷媒回収制御時には、冷媒回路への冷媒充填量が過多である等の何らかの要因によって、アキュムレータに溜められた冷媒がオーバーフローするおそれがある。アキュムレータから冷媒がオーバーフローすると、吐出冷媒過熱度が低くなる傾向になる。
このヒートポンプシステムでは、吐出冷媒過熱度の傾向を用いて、アキュムレータからの冷媒のオーバーフローの有無を判定することができる。すなわち、このヒートポンプシステムでは、吐出冷媒過熱度が下限吐出過熱度よりも小さくなったことを検知することによって、アキュムレータからの冷媒のオーバーフローが発生しているものと判定することができる。
【００１１】
そして、このヒートポンプシステムでは、吐出冷媒過熱度が下限吐出過熱度よりも小さい場合に、出口冷媒過熱度が目標出口冷媒過熱度になるように制御している熱源側膨張弁を用いてオーバーフロー防止制御を行う。すなわち、吐出冷媒過熱度が下限吐出過熱度よりも小さい場合に、出口冷媒過熱度が大きくなるように目標出口冷媒過熱度を変更することによって、熱源側膨張弁を閉める方向に動作させる。これにより、アキュムレータに流入する冷媒の過熱度を高めて、冷媒回収制御を中止することができる。
このヒートポンプシステムでは、上記のオーバーフロー防止制御を採用しているため、冷媒回収制御時におけるアキュムレータからの冷媒のオーバーフローを防ぐことができる。
【００１２】
本発明の第６観点にかかるヒートポンプシステムは、第１〜第５観点のいずれかにかかるヒートポンプシステムにおいて、制御部は、冷媒排出制御を行う。冷媒排出制御は、利用側膨張弁が所定の冷媒排出開始開度よりも閉まった場合に、出口冷媒過熱度が大きくなるように目標出口冷媒過熱度を変更する。そして、目標出口冷媒過熱度を変更した状態において、利用側膨張弁が所定の冷媒排出終了開度よりも開いた場合に、目標出口冷媒過熱度の変更を解除する。
加熱運転時において、冷媒回路内に冷媒不足が発生すると、冷媒の凝縮器として機能する利用側熱交換器に冷媒が溜まりにくくなる。このため、出口冷媒過冷却度が所定の目標出口冷媒過冷却度になるように利用側膨張弁を制御していると、利用側膨張弁が閉まる方向に動作して、利用側膨張弁の開度が適正な範囲よりも小さくなる傾向になる。しかし、冷媒がアキュムレータ内から排出されると、冷媒の凝縮器として機能する利用側熱交換器に冷媒が溜まりやすくなる。このため、出口冷媒過冷却度が目標出口冷媒過冷却度になるように利用側膨張弁を制御していると、利用側膨張弁が開く方向に動作して、利用側膨張弁の開度が適正な範囲まで大きくなる傾向になる。
このヒートポンプシステムでは、出口冷媒過冷却度が目標出口冷媒過冷却度になるように制御している時の利用側膨張弁の動作傾向を用いて、余剰冷媒の有無を判定することができる。すなわち、このヒートポンプシステムでは、利用側膨張弁が冷媒排出開始開度よりも閉まったことを検知することによって、冷媒不足が発生しているものと判定することができる。また、このヒートポンプシステムでは、利用側膨張弁が冷媒排出終了開度よりも開いたことを検知することによって、冷媒不足が解消されたものと判定することができる。
【００１３】
そして、このヒートポンプシステムでは、利用側膨張弁が冷媒排出開始開度よりも閉まった場合に、出口冷媒過熱度が目標出口冷媒過熱度になるように制御している熱源側膨張弁を用いて冷媒排出制御を行う。すなわち、利用側膨張弁が冷媒排出開始開度よりも閉まった場合に、出口冷媒過熱度が大きくなるように目標出口冷媒過熱度を変更することによって、熱源側膨張弁を閉める方向に動作させる。これにより、アキュムレータに流入する冷媒の過熱度を高めて、アキュムレータ内の冷媒を加熱して蒸発させて、アキュムレータ内に溜められた冷媒を安定的に排出して冷媒不足を解消することができる。また、このヒートポンプシステムでは、利用側膨張弁が冷媒排出終了開度よりも開いた場合に、目標出口冷媒過熱度の変更を解除することによって、熱源側膨張弁を開く方向に動作させる。これにより、冷媒排出制御を適切に完了させることができる。
このヒートポンプシステムでは、上記の冷媒排出制御を採用しているため、加熱運転時に、冷媒不足の場合にアキュムレータから冷媒を排出して冷媒不足を解消することができる。
【００１４】
本発明の第７観点にかかるヒートポンプシステムは、第６観点にかかるヒートポンプシステムにおいて、制御部は、冷媒排出制御を行わない時には、目標出口冷媒過熱度を０℃〜１℃に設定する。
このヒートポンプシステムでは、冷媒排出制御を行わない時に、目標出口冷媒過熱度を０℃〜１℃に設定して熱源側膨張弁を制御しているため、熱源側熱交換器の出口における冷媒が飽和ガス状態に近い状態になり、熱源側膨張弁の開度変化が少ない状態になる。これにより、冷媒排出制御を行わない時の運転状態が安定し、利用側膨張弁の動作傾向を用いた冷媒不足の有無の判定における判定精度を高めることができる。
【００１５】
本発明の第８観点にかかるヒートポンプシステムは、第７観点にかかるヒートポンプシステムにおいて、制御部は、冷媒排出制御時に、目標出口冷媒過熱度を２℃以上に変更する。
このヒートポンプシステムでは、冷媒排出制御時に、目標出口冷媒過熱度を２℃以上に変更することによって、熱源側膨張弁を閉める方向に動作させるようにしているため、熱源側熱交換器の出口における冷媒の過熱度を確実に高めることができる。
【００１６】
本発明の第９観点にかかるヒートポンプシステムは、第６〜第８観点のいずれかにかかるヒートポンプシステムにおいて、冷媒排出開始開度は、冷媒排出終了開度よりも小さい。
このヒートポンプシステムでは、冷媒排出開始開度が冷媒排出終了開度よりも小さいため、アキュムレータからの冷媒の排出を十分に行うことができる。
【００１７】
本発明の第１０観点にかかるヒートポンプシステムは、第１〜第９観点のいずれかにかかるヒートポンプシステムにおいて、制御部は、加熱運転の開始時に、熱源側膨張弁を最大開度の３０％以下の開度に設定し、利用側膨張弁を最大開度の５０％以上の開度に設定する。
このヒートポンプシステムでは、加熱運転の開始時に、熱源側膨張弁を最大開度の３０％以下の開度に設定することによって、熱源側膨張弁が開く方向に制御されるようにしている。また、このヒートポンプシステムでは、加熱運転の開始時に、利用側膨張弁を最大開度の５０％以上の開度に設定することによって、冷媒の凝縮器として機能する利用側熱交換器からの冷媒の排出が促進されるようにしている。これにより、このヒートポンプシステムでは、加熱運転の開始時に、利用側熱交換器に冷媒が溜まりにくくするとともに、熱源側熱交換器への冷媒の流入を促進して、余剰冷媒が発生しにくい安定した状態を得ることができる。
【図面の簡単な説明】
【００１８】
【図１】本発明の第１実施形態にかかるヒートポンプシステムの概略構成図である。
【図２】冷媒回収制御、冷媒排出制御及びオーバーフロー防止制御を示すフローチャートである。
【図３】加熱運転開始時の制御を示すフローチャートである。
【図４】本発明の第２実施形態にかかるヒートポンプシステムの概略構成図である。
【図５】本発明の第３実施形態にかかるヒートポンプシステムの概略構成図である。
【発明を実施するための形態】
【００１９】
以下、本発明にかかるヒートポンプシステムの実施形態について、図面に基づいて説明する。
（１）第１実施形態
＜構成＞
−全体−
図１は、本発明の第１実施形態にかかるヒートポンプシステム１の概略構成図である。ヒートポンプシステム１は、蒸気圧縮式のヒートポンプサイクルを利用して冷却運転としての冷房運転や加熱運転としての暖房運転等を行うことが可能な装置である。
ヒートポンプシステム１は、主として、熱源ユニット２と、利用ユニット８ａ、８ｂと、液冷媒連絡管１３と、ガス冷媒連絡管１４とを有している。そして、熱源ユニット２と利用ユニット８ａ、８ｂとは、冷媒連絡管１３、１４を介して接続されることによって、熱源側冷媒回路２０を構成している。熱源側冷媒回路２０には、ＨＦＣ系冷媒の一種であるＨＦＣ−４１０Ａが熱源側冷媒として封入されている。
【００２０】
−熱源ユニット−
熱源ユニット２は、屋外に設置されており、冷媒連絡管１３、１４を介して利用ユニット８ａ、８ｂに接続されており、熱源側冷媒回路２０の一部を構成している。
熱源ユニット２は、主として、圧縮機２１と、油分離機構２２と、切換機構２３と、熱源側熱交換器２６と、熱源側膨張弁２８と、吸入戻し管２９と、過冷却器３１と、熱源側アキュムレータ３２と、液側閉鎖弁３３と、ガス側閉鎖弁３４とを有している。
圧縮機２１は、熱源側冷媒を圧縮する機構である。ここでは、圧縮機２１として、ケーシング（図示せず）内に収容されたロータリ式やスクロール式等の容積式の圧縮要素（図示せず）が、同じくケーシング内に収容された圧縮機モータ２１ａによって駆動される密閉式圧縮機が採用されている。圧縮機モータ２１ａは、インバータ装置（図示せず）によって、その回転数（すなわち、運転周波数）を可変でき、これにより、圧縮機２１の容量制御が可能になっている。
【００２１】
油分離機構２２は、圧縮機２１から吐出された熱源側冷媒中に含まれる冷凍機油を分離して圧縮機２１の吸入に戻すための機構である。油分離機構２２は、主として、圧縮機２１の吐出管２１ｂに設けられた油分離器２２ａと、油分離器２２ａと圧縮機２１の吸入管２１ｃとを接続する油戻し管２２ｂとを有している。油分離器２２ａは、圧縮機２１から吐出された熱源側冷媒中に含まれる冷凍機油を分離する機器である。油戻し管２２ｂは、キャピラリチューブを有しており、油分離器２２ａにおいて熱源側冷媒から分離された冷凍機油を圧縮機２１の吸入管２１ｃに戻す冷媒管である。
切換機構２３は、熱源側熱交換器２６を熱源側冷媒の放熱器として機能させる熱源側放熱運転状態と熱源側熱交換器２６を熱源側冷媒の蒸発器として機能させる熱源側蒸発運転状態とを切り換え可能な四路切換弁である。切換機構２３は、吐出管２１ｂと、吸入管２１ｃと、熱源側熱交換器２６のガス側に接続された第１熱源側ガス冷媒管２４と、ガス側閉鎖弁３４に接続された第２熱源側ガス冷媒管２５とに接続されている。切換機構２３は、吐出管２１ｂと第１熱源側ガス冷媒管２４とを連通させるとともに、第２熱源側ガス冷媒管２５と吸入管２１ｃとを連通させる切り換え（熱源側放熱運転状態に対応、図１の切換機構２３の実線を参照）を行うことが可能である。また、切換機構２３は、吐出管２１ｂと第２熱源側ガス冷媒管２５とを連通させるとともに、第１熱源側ガス冷媒管２４と吸入管２１ｃとを連通させる切り換え（熱源側蒸発運転状態に対応、図１の切換機構２３の破線を参照）を行うことが可能である。尚、切換機構２３は、四路切換弁に限定されるものではなく、例えば、複数の電磁弁を組み合わせて使用する等によって、上記と同様の熱源側冷媒の流れの方向を切り換える機能を有するように構成したものであってもよい。
【００２２】
熱源側熱交換器２６は、熱源側冷媒と室外空気との熱交換を行うことで熱源側冷媒の放熱器又は蒸発器として機能する熱交換器であり、その液側に熱源側液冷媒管２７が接続されており、そのガス側に第１熱源側ガス冷媒管２４が接続されている。熱源側熱交換器２６において熱源側冷媒と熱交換を行う室外空気は、熱源側ファンモータ３７によって駆動される熱源側ファン３６によって供給されるようになっている。熱源側ファンモータ３７は、インバータ装置（図示せず）によって、その回転数（すなわち、運転周波数）を可変でき、これにより、熱源側ファン３６の風量制御が可能になっている。
熱源側膨張弁２８は、熱源側熱交換器２６を流れる熱源側冷媒の減圧等を行う電動膨張弁であり、熱源側液冷媒管２７に設けられている。
吸入戻し管２９は、熱源側液冷媒管２７を流れる熱源側冷媒の一部を分岐して圧縮機２１の吸入に戻す冷媒管であり、ここでは、その一端が熱源側液冷媒管２７に接続されており、その他端が吸入管２１ｃに接続されている。そして、吸入戻し管２９には、開度制御が可能な吸入戻し膨張弁３０が設けられている。この吸入戻し膨張弁３０は、電動膨張弁からなる。
【００２３】
過冷却器３１は、熱源側液冷媒管２７を流れる熱源側冷媒と吸入戻し管２９を流れる熱源側冷媒（より具体的には、吸入戻し膨張弁２９によって減圧された後の熱源側冷媒）との熱交換を行う熱交換器である。
熱源側アキュムレータ３２は、吸入管２１ｃに設けられており、熱源側冷媒回路２０を循環する熱源側冷媒を吸入管２１ｃから圧縮機２１に吸入される前に一時的に溜めるための容器である。
液側閉鎖弁３３は、熱源側液冷媒管２７と液冷媒連絡管１３との接続部に設けられた弁である。ガス側閉鎖弁３４は、第２熱源側ガス冷媒管２５とガス冷媒連絡管１４との接続部に設けられた弁である。
また、熱源ユニット２には、各種のセンサが設けられている。具体的には、熱源ユニット２には、吸入圧力センサ４１と、吐出圧力センサ４２と、吸入温度センサ４３と、吐出温度センサ４４と、熱源側熱交ガス側温度センサ４５と、熱源側熱交液側温度センサ４６とが設けられている。吸入圧力センサ４１は、圧縮機２１の吸入における熱源側冷媒の圧力である吸入圧力Ｐｓ１を検出する圧力センサである。吐出圧力センサ４２は、圧縮機２１の吐出における熱源側冷媒の圧力である吐出圧力Ｐｄ１を検出する圧力センサである。吸入温度センサ４３は、圧縮機２１の吸入における熱源側冷媒の温度である吸入温度Ｔｓ１を検出する温度センサである。吐出温度センサ４４は、圧縮機２１の吐出における熱源側冷媒の温度である吐出温度Ｔｄ１を検出する温度センサである。熱源側熱交ガス側温度センサ４５は、熱源側熱交換器２６のガス側における熱源側冷媒の温度である熱源側熱交ガス側温度Ｔｈｇを検出する温度センサである。熱源側熱交液側温度センサ４６は、熱源側熱交換器２６の液側における熱源側冷媒の温度である熱源側熱交液側温度Ｔｈｌを検出する温度センサである。また、熱源ユニット２は、熱源ユニット２を構成する各部の動作を制御する熱源側制御部３９を有している。そして、熱源側制御部３９は、熱源ユニット２の制御を行うためのマイクロコンピュータやメモリ等を有しており、後述の利用ユニット８ａ、８ｂの利用側制御部８９ａ、８９ｂとの間で制御信号等のやりとりを行うことができるようになっている。
【００２４】
−液冷媒連絡管−
液冷媒連絡管１３は、液側閉鎖弁３３を介して熱源側液冷媒管２７に接続されている、液冷媒連絡管１３は、切換機構２３が熱源側放熱運転状態において熱源側冷媒の放熱器として機能する熱源側熱交換器２６の出口から熱源ユニット２外に熱源側冷媒を導出することが可能な冷媒管である。また、液冷媒連絡管１３は、切換機構２３が熱源側蒸発運転状態において熱源ユニット２外から熱源側冷媒の蒸発器として機能する熱源側熱交換器２６の入口に熱源側冷媒を導入することが可能な冷媒管でもある。
−ガス冷媒連絡管−
ガス冷媒連絡管１４は、ガス側閉鎖弁３４を介して第２熱源側ガス冷媒管２５に接続されている。ガス冷媒連絡管１４は、切換機構２３が熱源側放熱運転状態において熱源ユニット２外から圧縮機２１の吸入に熱源側冷媒を導入することが可能な冷媒管である。また、ガス冷媒連絡管１４は、切換機構２３が熱源側蒸発運転状態において圧縮機２１の吐出から熱源ユニット２外に熱源側冷媒を導出することが可能な冷媒管でもある。
【００２５】
−利用ユニット−
利用ユニット８ａ、８ｂは、屋内に設置されており、冷媒連絡管１３、１４を介して熱源ユニット２に接続されており、熱源側冷媒回路２０の一部を構成している。尚、利用ユニット８ｂの構成は、利用ユニット８ａの構成と同様である。このため、ここでは、利用ユニット８ａの構成のみを説明し、利用ユニット８ｂの構成については、利用ユニット８ａの各部を示す符号の添字「ａ」の代わりに添字「ｂ」を付して、各部の説明を省略する。
利用ユニット８ａは、主として、利用側熱交換器８１ａと利用側膨張弁８２ａとを有している。
利用側熱交換器８１ａは、熱源側冷媒と室内空気との熱交換を行うことで熱源側冷媒の放熱器又は蒸発器として機能する熱交換器であり、その液側に利用側液冷媒管８３ａが接続されており、そのガス側に利用側ガス冷媒管８４ａが接続されている。利用側液冷媒管８３ａには、液冷媒連絡管１３が接続されており、利用側ガス冷媒管８４ａには、ガス冷媒連絡管１４が接続されている。この利用側熱交換器８１ａにおいて熱源側冷媒と熱交換を行う室内空気は、利用側ファンモータ８６ａによって駆動される利用側ファン８５ａによって供給されるようになっている。
【００２６】
利用側膨張弁８２ａは、開度制御を行うことで利用側熱交換器８１ａを流れる熱源側冷媒の流量を可変することが可能な電動膨張弁であり、利用側液冷媒管８３ａに設けられている。
これにより、利用ユニット８ａは、切換機構２３が熱源側放熱運転状態において、利用側熱交換器８１ａを液冷媒連絡管１３から導入される熱源側冷媒の蒸発器として機能させることができるようになっている。このとき、利用側熱交換器８１ａにおいて蒸発した熱源側冷媒は、ガス冷媒連絡管１４に導出され、利用側熱交換器８１ａにおける熱源側冷媒の蒸発によって室内空気を冷却する冷却運転としての冷房運転を行うことが可能になっている。また、利用ユニット８ａは、切換機構２３が熱源側蒸発運転状態において利用側熱交換器８１ａをガス冷媒連絡管１４から導入される熱源側冷媒の放熱器として機能させることができるようになっている。このとき、利用側熱交換器８１ａにおいて放熱した熱源側冷媒は、液冷媒連絡管１３に導出され、利用側熱交換器８１ａにおける熱源側冷媒の放熱によって室内空気を加熱する加熱運転としての暖房運転を行うことが可能になっている。
【００２７】
また、利用ユニット８ａには、各種のセンサが設けられている。具体的には、利用ユニット８ａには、利用側熱交液側温度センサ８８ａが設けられている。利用側熱交液側温度センサ８８ａは、利用側熱交換器８１ａの液側における熱源側冷媒の温度である利用側熱交液側温度Ｔｕｌを検出する温度センサである。また、利用ユニット８ａは、利用ユニット８ａを構成する各部の動作を制御する利用側制御部８９ａを有している。そして、利用側制御部８９ａは、利用ユニット８ａの制御を行うためのマイクロコンピュータやメモリ等を有しており、リモコン（図示せず）との間で制御信号等のやりとりを行ったり、熱源ユニット２の熱源側制御部３９との間で制御信号等のやりとりを行うことができるようになっている。
そして、利用側制御部８９ａ、８９ｂと熱源側制御部３９とによって、ヒートポンプシステム１の運転制御を行う制御部１ａが構成されており、以下の運転や各種制御を行うようになっている。
【００２８】
＜動作＞
次に、ヒートポンプシステム１の動作について説明する。
ヒートポンプシステム１の運転としては、利用ユニット８ａ及び／又は利用ユニット８ｂの暖房運転（加熱運転）のみを行う暖房運転モードと、利用ユニット８ａ及び／又は利用ユニット８ｂの冷房運転（冷却運転）のみを行う冷房運転モードとがある。
−暖房運転モード−
第２利用ユニット８ａ及び／又は第２利用ユニット８ｂの暖房運転のみを行う場合には、熱源側冷媒回路２０において、切換機構２３が熱源側放熱運転状態（図１の切換機構２３の破線で示された状態）に切り換えられる。また、吸入戻し膨張弁３０が閉止される。
このような状態の熱源側冷媒回路２０において、冷凍サイクルにおける低圧の熱源側冷媒は、吸入管２１ｃを通じて、圧縮機２１に吸入され、冷凍サイクルにおける高圧まで圧縮された後に、吐出管２１ｂに吐出される。吐出管２１ｂに吐出された高圧の熱源側冷媒は、油分離器２２ａにおいて冷凍機油が分離される。油分離器２２ａにおいて熱源側冷媒から分離された冷凍機油は、油戻し管２２ｂを通じて、吸入管２１ｃに戻される。冷凍機油が分離された高圧の熱源側冷媒は、切換機構２３、第２熱源側ガス冷媒管２５及びガス側閉鎖弁３４を通じて、熱源ユニット２からガス冷媒連絡管１４に送られる。
【００２９】
ガス冷媒連絡管１４に送られた高圧の熱源側冷媒は、利用ユニット８ａ、８ｂ（ここでは、利用ユニット８ａ、８ｂの両方を暖房運転するものとして説明する）に送られる。利用ユニット８ａ、８ｂに送られた高圧の熱源側冷媒は、利用側ガス冷媒管８４ａ、８４ｂを通じて、利用側熱交換器８１ａ、８１ｂに送られる。利用側熱交換器８１ａ、８１ｂに送られた高圧の熱源側冷媒は、利用側熱交換器８１ａ、８１ｂにおいて、利用側ファン８５ａ、８５ｂによって供給される室内空気と熱交換を行って放熱し、これにより、室内の暖房を行う。利用側熱交換器８１ａ、８１ｂにおいて放熱した高圧の熱源側冷媒は、利用側膨張弁８２ａ、８２ｂ及び利用側液冷媒管８３ａ、８３ｂを通じて、利用ユニット８ａ、８ｂから液冷媒連絡管１３に送られる。
液冷媒連絡管１３に送られた熱源側冷媒は、熱源ユニット２に送られる。熱源ユニット２に送られた熱源側冷媒は、液側閉鎖弁３３を通じて、過冷却器３１に送られる。過冷却器３１に送られた熱源側冷媒は、吸入戻し管２９に熱源側冷媒が流れていないため、熱交換を行うことなく、熱源側膨張弁２８に送られる。熱源側膨張弁２８に送られた熱源側冷媒は、熱源側膨張弁２８において減圧されて、低圧の気液二相状態になり、熱源側液冷媒管２７を通じて、熱源側熱交換器２６に送られる。熱源側熱交換器２６に送られた低圧の熱源側冷媒は、熱源側熱交換器２６において、熱源側ファン３６によって供給される室外空気と熱交換を行って蒸発する。熱源側熱交換器２６において蒸発した低圧の熱源側冷媒は、第１熱源側ガス冷媒管２４及び切換機構２３を通じて、熱源側アキュムレータ３２に送られる。熱源側アキュムレータ３２に送られた低圧の熱源側冷媒は、吸入管２１ｃを通じて、再び、圧縮機２１に吸入される。
このようにして、利用ユニット８ａ及び／又は利用ユニット８ｂの暖房運転のみを行う暖房運転モードにおける動作が行われる。
【００３０】
−冷房運転モード−
利用ユニット８ａ及び／又は利用ユニット８ｂの冷房運転のみを行う場合には、熱源側冷媒回路２０において、切換機構２３が熱源側放熱運転状態（図１の切換機構２３の実線で示された状態）に切り換えられる。尚、ここでは、利用ユニット８ａ、８ｂの両方を冷房運転するものとして説明する。
このような状態の熱源側冷媒回路２０において、冷凍サイクルにおける低圧の熱源側冷媒は、吸入管２１ｃを通じて、圧縮機２１に吸入され、冷凍サイクルにおける高圧まで圧縮された後に、吐出管２１ｂに吐出される。吐出管２１ｂに吐出された高圧の熱源側冷媒は、油分離器２２ａにおいて冷凍機油が分離される。油分離器２２ａにおいて熱源側冷媒から分離された冷凍機油は、油戻し管２２ｂを通じて、吸入管２１ｃに戻される。冷凍機油が分離された高圧の熱源側冷媒は、切換機構２３及び第１熱源側ガス冷媒管２４を通じて、熱源側熱交換器２６に送られる。熱源側熱交換器２６に送られた高圧の熱源側冷媒は、熱源側熱交換器２６において、熱源側ファン３６によって供給される室外空気と熱交換を行って放熱する。熱源側熱交換器２６において放熱した高圧の熱源側冷媒は、熱源側膨張弁２８を通じて、過冷却器３１に送られる。過冷却器３１に送られた熱源側冷媒は、熱源側液冷媒管２７から吸入戻し管２９に分岐された熱源側冷媒と熱交換を行って過冷却状態になるように冷却される。吸入戻し管２９を流れる熱源側冷媒は、吸入管２１ｃに戻される。過冷却器３１において冷却された熱源側冷媒は、熱源側液冷媒管２７及び液側閉鎖弁３３を通じて、熱源ユニット２から液冷媒連絡管１３に送られる。
【００３１】
液冷媒連絡管１３に送られた高圧の熱源側冷媒は、利用ユニット８ａ、８ｂに送られる。利用ユニット８ａ、８ｂに送られた高圧の熱源側冷媒は、利用側膨張弁８２ａ、８２ｂに送られる。利用側膨張弁８２ａ、８２ｂに送られた高圧の熱源側冷媒は、利用側膨張弁８２ａ、８２ｂにおいて減圧されて、低圧の気液二相状態になり、利用側液冷媒管８３ａ、８３ｂを通じて、利用側熱交換器８１ａ、８１ｂに送られる。利用側熱交換器８１ａ、８１ｂに送られた低圧の熱源側冷媒は、利用側熱交換器８１ａ、８１ｂにおいて、利用側ファン８５ａ、８５ｂによって供給される室内空気と熱交換を行って蒸発し、これにより、室内の冷房を行う。利用側熱交換器８１ａ、８１ｂにおいて蒸発した低圧の熱源側冷媒は、利用側ガス冷媒管８４ａ、８４ｂを通じて、利用ユニット８ａ、８ｂからガス冷媒連絡管１４に送られる。
ガス冷媒連絡管１４に送られた低圧の熱源側冷媒は、熱源ユニット２に送られる。熱源ユニット２に送られた低圧の熱源側冷媒は、ガス側閉鎖弁３４、第２熱源側ガス冷媒管２５及び切換機構２３を通じて、熱源側アキュムレータ３２に送られる。熱源側アキュムレータ３２に送られた低圧の熱源側冷媒は、吸入管２１ｃを通じて、再び、圧縮機２１に吸入される。
このようにして、利用ユニット８ａ及び／又は利用ユニット８ｂの冷房運転のみを行う冷房運転モードにおける動作が行われる。
−加熱運転における利用側膨張弁の制御−
上記の加熱運転としての暖房運転における利用側膨張弁８２ａ、８２ｂの制御について説明する。
制御部１ａは、熱源側冷媒の放熱器として機能する利用側熱交換器８１ａ、８１ｂの出口における熱源側冷媒の過冷却度である出口冷媒過冷却度ＳＣｕが所定の目標出口冷媒過冷却度ＳＣｕｓになるように利用側膨張弁８２ａ、８２ｂを制御する。ここで、出口冷媒過冷却度ＳＣｕは、吐出圧力Ｐｄ１を凝縮温度Ｔｃに相当する飽和温度値に換算し、この熱源側冷媒の飽和温度値から利用側熱交液側温度Ｔｕｌを差し引くことによって得られる。尚、ここでは採用していないが、利用側熱交換器８１ａ、８１ｂに凝縮温度Ｔｃに相当する冷媒温度を検出する温度センサを設けて、この冷媒温度から利用側熱交液側温度Ｔｕｌを差し引くことによって出口冷媒過冷却度ＳＣｕを得るようにしてもよい。
このような利用側膨張弁８２ａ、８２ｂの制御（以下、単に、「過冷却度制御」という）によって、利用側熱交換器８１ａ、８１ｂを流れる熱源側冷媒の流量が調節されている。
【００３２】
−余剰冷媒や冷媒不足に対する制御−
ヒートポンプシステム１では、上記の加熱運転としての暖房運転時における熱源側冷媒回路２０内の余剰冷媒や冷媒不足の発生に対して、熱源側冷媒を熱源側アキュムレータ３２に安定的に回収又は排出するための制御を行っている。この余剰冷媒や冷媒不足に対する制御について、図２を用いて説明する。
まず、制御部１ａは、熱源側冷媒の蒸発器として機能する熱源側熱交換器２６の出口における熱源側冷媒の過熱度である出口冷媒過熱度ＳＨｈが所定の目標出口冷媒過熱度ＳＨｈｓになるように熱源側膨張弁２８を制御する（ステップＳ１）。ここで、出口冷媒過熱度ＳＨｈは、吸入圧力Ｐｓ１を蒸発温度Ｔｅに相当する飽和温度値に換算し、この熱源側冷媒の飽和温度値を熱源側熱交ガス側温度Ｔｈｇから差し引くことによって得られる。尚、ここでは採用していないが、熱源側熱交液側温度Ｔｈｌが蒸発温度Ｔｅに相当するものとみなして、熱源側熱交ガス側温度Ｔｈｇから熱源側熱交液側温度Ｔｈｌを差し引くことによって出口冷媒過熱度ＳＨｈを得るようにしてもよい。また、目標出口冷媒過熱度ＳＨｈｓは、Ｌ℃に設定されている。ここで、Ｌ℃は、０℃〜１℃である。これにより、熱源側熱交換器２６の出口における熱源側冷媒が飽和ガス状態に近い状態になり、熱源側膨張弁２６の開度変化が少ない状態になっている。
【００３３】
このような熱源側膨張弁２８の制御（以下、単に、「過熱度制御」という）によって、熱源側熱交換器２６の出口における熱源側冷媒の温度が調節されている。
次に、制御部１ａは、利用側膨張弁８２ａ、８２ｂの開度ＯＰｕ等の弁情報を取得する（ステップＳ２）。ここで、利用側膨張弁８２ａ、８２ｂの開度ＯＰｕは、利用側膨張弁８２ａ、８２ｂの最大開度を１００％として表したものとする。
次に、制御部１ａは、熱源側圧縮機２１の吐出における熱源側冷媒の過熱度である吐出冷媒過熱度ＳＨｃが所定の下限吐出過熱度ＳＨｍよりも小さいかどうかを判定する（ステップＳ３）。ここで、吐出冷媒過熱度ＳＨｃは、吐出圧力Ｐｄ１を凝縮温度Ｔｃに相当する飽和温度値に換算し、この熱源側冷媒の飽和温度値を吐出温度Ｔｄ１から差し引くことによって得られる。また、下限吐出過熱度ＳＨｍは、Ｄ℃に設定されている。ここで、Ｄは、熱源側アキュムレータ３２に溜められた熱源側冷媒がオーバーフローするおそれのある温度に設定されている。尚、熱源側アキュムレータ３２から熱源側冷媒がオーバーフローすると、吐出冷媒過熱度ＳＨｃが低くなる傾向になる。すなわち、ステップＳ３における判定は、このような吐出冷媒過熱度ＳＨｃの傾向を用いて、熱源側アキュムレータ３２からの熱源側冷媒のオーバーフローの有無を判定するものである。そして、ステップＳ３において、吐出冷媒過熱度ＳＨｃが下限吐出過熱度ＳＨｍよりも小さいと判定された場合には、ステップＳ１２の処理に移行し、吐出冷媒過熱度ＳＨｃが下限吐出過熱度ＳＨｍよりも小さくないと判定された場合には、ステップＳ４の処理に移行する。
【００３４】
次に、制御部１ａは、吐出冷媒過熱度ＳＨｃが所定の基準吐出過熱度ＳＨｓよりも大きいかどうかを判定する（ステップＳ４）。ここで、基準吐出過熱度ＳＨｓは、Ａ℃に設定されている。Ａは、熱源側圧縮機２１において湿り圧縮が生じるおそれのない温度に設定されている。尚、上記のステップＳ３だけでも、熱源側圧縮機２１における湿り圧縮の判定を兼ねることできる場合もあるが、熱源側圧縮機２１の湿り圧縮が生じるおそれがある場合にまで、後述のステップＳ６の目標出口冷媒過熱度ＳＨｈｓを小さくする変更を行うことは好ましくない。このため、このステップＳ４の判定を行うようにしている。そして、ステップＳ４において、吐出冷媒過熱度ＳＨｃが基準吐出過熱度ＳＨｓよりも大きいと判定された場合には、ステップＳ５の処理に移行し、吐出冷媒過熱度ＳＨｃが基準吐出過熱度ＳＨｓよりも大きくないと判定された場合には、ステップＳ１の処理に戻る。
【００３５】
次に、制御部１ａは、利用側膨張弁８２ａ、８２ｂのうち開度ＯＰｕが所定の冷媒回収開始開度ＯＰｃｓよりも開いているものがあるかどうかを判定する（ステップＳ５）。ここで、冷媒回収開始開度ＯＰｃｓは、Ｂ％に設定されている。Ｂは、過冷却度制御を行っている利用側膨張弁８２ａ、８２ｂの開度ＯＰｕの適正な範囲よりも大きい開度に設定されている。尚、暖房運転時において、熱源側冷媒回路２０内に余剰冷媒が発生すると、熱源側冷媒の凝縮器として機能する利用側熱交換器８１ａ、８１ｂに熱源側冷媒が溜まりやすくなる。このため、過冷却度制御を行っている利用側膨張弁８２ａ、８２ｂが開く方向に動作して、利用側膨張弁ＯＰｕの開度が適正な範囲よりも大きくなる傾向になる。すなわち、ステップＳ５における判定は、このような過冷却度制御を行っている利用側膨張弁８２ａ、８２ｂの動作傾向を用いて、余剰冷媒の有無を判定するものである。そして、ステップＳ５において、開度ＯＰｕが冷媒回収開始開度ＯＰｃｓよりも開いている利用側膨張弁８２ａ、８２ｂがあると判定された場合には、ステップＳ６の処理に移行し、開度ＯＰｕが冷媒回収開始開度ＯＰｃｓよりも開いている利用側膨張弁８２ａ、８２ｂがないと判定された場合には、ステップＳ１０の処理に移行する。
【００３６】
次に、制御部１ａは、熱源側熱交換器２６の出口における熱源側冷媒が湿り状態になるように目標出口冷媒過熱度ＳＨｈｓを変更する（ステップＳ６）。ここで、目標出口冷媒過熱度ＳＨｈｓは、Ｌ℃よりも小さいＣ℃に変更される。Ｃ℃は、０℃未満の温度である。これにより、熱源側膨張弁２６が開く方向に動作し、熱源側冷媒が湿り状態のままで熱源側アキュムレータ３２に流入するようになる。そして、熱源側アキュムレータ３２内の熱源側冷媒を加熱して蒸発させることなく、熱源側アキュムレータ３２内に熱源側冷媒を安定的に回収して余剰冷媒として溜めることができる。
次に、制御部１ａは、ステップＳ２と同様に、利用側膨張弁８２ａ、８２ｂの開度ＯＰｕ等の弁情報を取得する（ステップＳ７）。
次に、制御部１ａは、ステップＳ３と同様に、熱源側圧縮機２１の吐出における熱源側冷媒の過熱度である吐出冷媒過熱度ＳＨｃが所定の下限吐出過熱度ＳＨｍよりも小さいかどうかを判定する（ステップＳ８）。そして、ステップＳ８において、吐出冷媒過熱度ＳＨｃが下限吐出過熱度ＳＨｍよりも小さいと判定された場合には、ステップＳ１２の処理に移行し、吐出冷媒過熱度ＳＨｃが下限吐出過熱度ＳＨｍよりも小さくないと判定された場合には、ステップＳ９の処理に移行する。
【００３７】
次に、制御部１ａは、利用側膨張弁８２ａ、８２ｂのうち開度ＯＰｕが所定の冷媒回収終了開度ＯＰｃｅよりも開いているものがあるかどうかを判定する（ステップＳ９）。ここで、冷媒回収終了開度ＯＰｃｅは、Ｅ％に設定されている。Ｅは、冷媒回収開始開度ＯＰｃｓ（ここでは、Ｂ％）よりも小さい開度に設定されている。このため、過冷却度制御を行っている利用側膨張弁８２ａ、８２ｂが閉まる方向に動作して、利用側膨張弁８２ａ、８２ｂの開度ＯＰｕが適正な範囲まで小さくなる傾向になる。しかも、Ｅは、過冷却度制御を行っている利用側膨張弁８２ａ、８２ｂの開度ＯＰｕの適正な範囲内に設定されている。すなわち、ステップＳ９における判定は、このような過冷却度制御を行っている利用側膨張弁８２ａ、８２ｂの動作傾向を用いて、余剰冷媒の有無を判定するものである。そして、ステップＳ９において、開度ＯＰｕが冷媒回収終了開度ＯＰｃｅよりも開いている利用側膨張弁８２ａ、８２ｂがあると判定された場合には、熱源側アキュムレータ３２内への熱源側冷媒の回収が終了していないものとみなして、ステップＳ６の処理に戻り、目標出口冷媒過熱度ＳＨｈｓをＣ℃に変更した状態を維持して、熱源側アキュムレータ３２内への熱源側冷媒の回収を継続する。また、ステップＳ９において、開度ＯＰｕが冷媒回収終了開度ＯＰｃｅよりも開いている利用側膨張弁８２ａ、８２ｂがないと判定された場合には、ステップＳ１の処理に戻り、目標出口冷媒過熱度ＳＨｈｓの変更を解除する（すなわち、目標出口冷媒過熱度ＳＨｈｓをＣ℃からＬ℃に戻す）。
【００３８】
このようなステップＳ１〜Ｓ９の処理によって、熱源側冷媒を熱源側アキュムレータ３２に安定的に回収して余剰冷媒として溜める冷媒回収制御を行うことができるようになっている。すなわち、冷媒回収制御は、利用側膨張弁８２ａ、８２ｂが冷媒回収開始開度ＯＰｃｓよりも開いた場合に、熱源側熱交換器２６の出口における熱源側冷媒が湿り状態になるように目標出口冷媒過熱度ＳＨｈｓを変更する。そして、目標出口冷媒過熱度ＳＨｈｓを変更した状態において、利用側膨張弁８２ａ、８２ｂが冷媒回収終了開度ＯＰｃｅよりも閉まった場合に、目標出口冷媒過熱度ＳＨｈｓの変更を解除するものである。
また、ステップＳ５において、開度ＯＰｕが所定の冷媒回収開始開度ＯＰｃｓよりも開いている利用側膨張弁８２ａ、８２ｂがない（すなわち、冷媒回収制御の必要がない）と判定された場合には、制御部１ａは、ステップＳ１０の処理に移行する。そして、制御部１ａは、利用側膨張弁８２ａ、８２ｂのうち開度ＯＰｕが所定の冷媒排出開始開度ＯＰｅｓよりも閉まっているものがあるかどうかを判定する（ステップＳ１０）。ここで、冷媒排出開始開度ＯＰｅｓは、Ｆ％に設定されている。Ｆは、過冷却度制御を行っている利用側膨張弁８２ａ、８２ｂの開度ＯＰｕの適正な範囲よりも小さい開度に設定されている。尚、暖房運転時において、熱源側冷媒回路２０内に冷媒不足が発生すると、熱源側冷媒の凝縮器として機能する利用側熱交換器８１ａ、８１ｂに熱源側冷媒が溜まりにくくなる。このため、過冷却度制御を行っている利用側膨張弁８２ａ、８２ｂが閉まる方向に動作して、利用側膨張弁ＯＰｕの開度が適正な範囲よりも小さくなる傾向になる。すなわち、ステップＳ１０における判定は、このような過冷却度制御を行っている利用側膨張弁８２ａ、８２ｂの動作傾向を用いて、冷媒不足の有無を判定するものである。そして、ステップＳ１０において、開度ＯＰｕが冷媒排出開始開度ＯＰｅｓよりも閉まっている利用側膨張弁８２ａ、８２ｂがあると判定された場合には、ステップＳ１１の処理に移行し、開度ＯＰｕが冷媒排出開始開度ＯＰｅｓよりも閉まっている利用側膨張弁８２ａ、８２ｂがないと判定された場合には、ステップＳ１の処理に戻る。
【００３９】
次に、制御部１ａは、利用側膨張弁８２ａ、８２ｂの平均開度ＯＰｍが所定の冷媒排出開始平均開度ＯＰｍｅｓよりも小さくなっているかどうかを判定する（ステップＳ１１）。ここで、冷媒排出開始平均開度ＯＰｍｅｓは、Ｇ％に設定されている。Ｇは、ステップＳ１０における冷媒排出開始開度ＯＰｅｓに準じた開度に設定されている。そして、ステップＳ１１において、平均開度ＯＰｍが冷媒排出開始平均開度ＯＰｍｅｓよりも小さくなっていると判定された場合には、ステップＳ１２の処理に移行し、平均開度ＯＰｍが冷媒排出開始平均開度ＯＰｍｅｓよりも小さくなっていないと判定された場合には、ステップＳ１の処理に戻る。
次に、制御部１ａは、出口冷媒過熱度ＳＨｈが大きくなるように目標出口冷媒過熱度ＳＨｈｓを変更する（ステップＳ１２）。ここで、目標出口冷媒過熱度ＳＨｈｓは、Ｌ℃よりも大きいＨ℃に変更される。Ｈ℃は、２℃以上の温度である。これにより、熱源側膨張弁２６が閉まる方向に動作し、熱源側冷媒が高い過熱度の状態で熱源側アキュムレータ３２に流入するようになる。そして、熱源側アキュムレータ３２内の熱源側冷媒を加熱して蒸発させて、熱源側アキュムレータ３２内に溜められた熱源側冷媒を安定的に排出して冷媒不足を解消することができる。
【００４０】
次に、制御部１ａは、ステップＳ２、Ｓ７と同様に、利用側膨張弁８２ａ、８２ｂの開度ＯＰｕ等の弁情報を取得する（ステップＳ１３）。
次に、制御部１ａは、ステップＳ４と同様に、吐出冷媒過熱度ＳＨｃが基準吐出過熱度ＳＨｓよりも大きいかどうかを判定する（ステップＳ１４）。ここで、仮に、このステップＳ１４の判定を行わなかった場合には、後述のステップＳ１５、Ｓ１６の判定条件を満たすと、上記のステップＳ１２の目標出口冷媒過熱度ＳＨｈｓを大きくする変更が解除されることになる。このとき、熱源側圧縮機２１に吸入される熱源側冷媒の過熱度が小さくなるため、熱源側圧縮機２１における湿り圧縮が生じるおそれがあり好ましくない。このため、このステップＳ１４の判定を行うようにしている。そして、ステップＳ１４において、吐出冷媒過熱度ＳＨｃが基準吐出過熱度ＳＨｓよりも大きいと判定された場合には、ステップＳ１５の処理に移行し、吐出冷媒過熱度ＳＨｃが基準吐出過熱度ＳＨｓよりも大きくないと判定された場合には、ステップＳ１２の処理に戻る。
【００４１】
次に、制御部１ａは、利用側膨張弁８２ａ、８２ｂのうち開度ＯＰｕが所定の冷媒排出終了開度ＯＰｅｅよりも閉まっているものがないかどうかを判定する（ステップＳ１５）。ここで、冷媒排出終了開度ＯＰｅｅは、Ｊ％に設定されている。Ｊは、冷媒排出開始開度ＯＰｅｓ（ここでは、Ｆ％）よりも大きい開度に設定されている。また、制御部１ａは、ステップＳ１５に続いて、利用側膨張弁８２ａ、８２ｂの平均開度ＯＰｍが所定の冷媒排出終了平均開度ＯＰｍｅｅよりも大きくなっているかどうかを判定する（ステップＳ１６）。ここで、冷媒排出終了平均開度ＯＰｍｅｅは、Ｋ％に設定されている。Ｋは、ステップＳ１５における冷媒排出終了開度ＯＰｅｅに準じた開度に設定されている。そして、ステップＳ１５、Ｓ１６において、開度ＯＰｕが所定の冷媒排出終了開度ＯＰｅｅよりも閉まっている利用側膨張弁８２ａ、８２ｂがあると判定された場合、又は、平均開度ＯＰｍが冷媒排出終了平均開度ＯＰｍｅｅよりも大きくなっていないと判定された場合には、熱源側アキュムレータ３２からの熱源側冷媒の排出が終了していないものとみなして、ステップＳ１２の処理に戻り、目標出口冷媒過熱度ＳＨｈｓをＨ℃に変更した状態を維持して、熱源側アキュムレータ３２からの熱源側冷媒の排出を継続する。また、ステップＳ１５、Ｓ１６において、開度ＯＰｕが所定の冷媒排出終了開度ＯＰｅｅよりも閉まっている利用側膨張弁８２ａ、８２ｂがないと判定され、かつ、平均開度ＯＰｍが冷媒排出終了平均開度ＯＰｍｅｅよりも大きくなっていると判定された場合には、ステップＳ１の処理に戻り、目標出口冷媒過熱度ＳＨｈｓの変更を解除する（すなわち、目標出口冷媒過熱度ＳＨｈｓをＨ℃からＬ℃に戻す）。
【００４２】
このようなステップＳ１０〜Ｓ１６の処理によって、熱源側アキュムレータ３２から熱源側冷媒を安定的に排出して冷媒不足を解消する冷媒排出制御を行うことができるようになっている。すなわち、冷媒排出制御は、利用側膨張弁８２ａ、８２ｂが冷媒排出開始開度ＯＰｅｓよりも閉まった場合に、出口冷媒過熱度ＳＨｈが大きくなるように目標出口冷媒過熱度ＳＨｈｓを変更する。そして、目標出口冷媒過熱度ＳＨｈｓを変更した状態において、利用側膨張弁８２ａ、８２ｂが冷媒排出終了開度ＯＰｅｅよりも開いた場合に、目標出口冷媒過熱度ＳＨｈｓの変更を解除するものである。
また、ステップＳ３、Ｓ８において、吐出冷媒過熱度ＳＨｃが下限吐出過熱度ＳＨｍよりも小さいと判定された場合には、熱源側冷媒回路２０への冷媒充填量が過多である等の何らかの要因によって、熱源側アキュムレータ３２に溜められた冷媒がオーバーフローするおそれがあるものとみなして、制御部１ａは、ステップＳ１２の処理に移行して、上記のステップＳ１２〜Ｓ１６の処理を行う。ここでは、上記の冷媒回収制御よりも優先して、上記の冷媒排出制御と同様のオーバーフロー防止制御を行うようになっている。すなわち、オーバーフロー防止制御は、吐出冷媒過熱度ＳＨｃが下限吐出過熱度ＳＨｍよりも小さい場合に、出口冷媒過熱度ＳＨｈが大きくなるように目標出口冷媒過熱度ＳＨｈｓを変更するものである。
【００４３】
−加熱運転開始時の制御−
ヒートポンプシステム１では、上記の加熱運転としての暖房運転の開始時に、余剰冷媒が発生しにくい安定した状態を得るための制御を行っている。この暖房運転開始時の制御について、図３を用いて説明する。
制御部１ａは、暖房運転が開始されると（ステップＳ２１）、熱源側膨張弁２８を初期開度ＯＰｈｉに設定し、利用側膨張弁８２ａ、８２ｂを初期開度ＯＰｕｉに設定する（ステップＳ２２）。ここで、初期開度ＯＰｈｉは、Ｍ％に設定されており、初期開度ＯＰｕｉは、Ｎ％に設定されている。Ｍは、熱源側膨張弁２８の最大開度の３０％以下に設定されており、Ｎは、利用側膨張弁８２ａ、８２ｂの最大開度の５０％以上に設定されている。
そして、制御部１ａは、上記の熱源側膨張弁２８及び利用側膨張弁８２ａ、８２ｂの開度設定において、上記の過熱度制御及び過冷却度制御を開始する（ステップＳ２３）。そうすると、暖房運転の開始時において、熱源側膨張弁２８が最大開度の３０％以下の開度に設定されていることから、熱源側膨張弁２８が開く方向に制御されるようになる。また、暖房運転の開始時において、利用側膨張弁８２ａ、８２ｂが最大開度の５０％以上の開度に設定されていることから、熱源側冷媒の凝縮器として機能する利用側熱交換器８１ａ、８１ｂからの冷媒の排出が促進されるようになる。
【００４４】
＜特徴＞
ヒートポンプシステム１には、以下のような特徴がある。
−Ａ−
加熱運転としての暖房運転時において、熱源側冷媒回路１０内に余剰冷媒が発生すると、熱源側冷媒の凝縮器として機能する利用側熱交換器８１ａ、８１ｂに熱源側冷媒が溜まりやすくなる。このため、出口冷媒過冷却度ＳＣｕが目標出口冷媒過冷却度ＳＣｕｓになるように利用側膨張弁８２ａ、８２ｂを制御していると、利用側膨張弁８２ａ、８２ｂが開く方向に動作して、利用側膨張弁８２ａ、８２ｂの開度が適正な範囲よりも大きくなる傾向になる。しかし、余剰冷媒が熱源側アキュムレータ３２内に溜められると、熱源側冷媒の凝縮器として機能する利用側熱交換器８１ａ、８１ｂに溜まる熱源側冷媒が少なくなる。このため、出口冷媒過冷却度ＳＣｕが目標出口冷媒過冷却度ＳＣｕｓになるように利用側膨張弁８２ａ、８２ｂを制御していると、利用側膨張弁８２ａ、８２ｂが閉まる方向に動作して、利用側膨張弁８２ａ、８２ｂの開度が適正な範囲まで小さくなる傾向になる。
【００４５】
ヒートポンプシステム１では、出口冷媒過冷却度ＳＣｕが目標出口冷媒過冷却度ＳＣｕｓになるように制御している時の利用側膨張弁８２ａ、８２ｂの動作傾向を用いて、余剰冷媒の有無を判定することができる。すなわち、ヒートポンプシステム１では、利用側膨張弁８２ａ、８２ｂが冷媒回収開始開度ＯＰｃｓよりも開いたことを検知することによって、余剰冷媒が発生しているものと判定することができる。また、ヒートポンプシステム１では、利用側膨張弁８２ａ、８２ｂが冷媒回収終了開度ＯＰｃｅよりも閉まったことを検知することによって、熱源側冷媒が熱源側アキュムレータ３２内に余剰冷媒として溜められたものと判定することができる。
そして、ヒートポンプシステム１では、利用側膨張弁８２ａ、８２ｂが冷媒回収開始開度ＯＰｃｓよりも開いた場合に、熱源側膨張弁２８を用いて冷媒回収制御を行う。すなわち、出口冷媒過熱度ＳＨｈが目標出口冷媒過熱度ＳＨｈｓになるように熱源側膨張弁２８を制御し、利用側膨張弁８２ａ、８２ｂが冷媒回収開始開度ＯＰｃｓよりも開いた場合に、熱源側熱交換器２６の出口における熱源側冷媒が湿り状態になるように目標出口冷媒過熱度ＳＨｈｓを変更することによって、熱源側膨張弁２８を開く方向に動作させる。これにより、熱源側冷媒を湿り状態のままで熱源側アキュムレータ３２に流入させて、熱源側アキュムレータ３２内の熱源側冷媒を加熱して蒸発させることなく、熱源側アキュムレータ３２内に熱源側冷媒を安定的に回収して余剰冷媒として溜めることができる。また、ヒートポンプシステム１では、利用側膨張弁８２ａ、８２ｂが冷媒回収終了開度ＯＰｃｅよりも閉まった場合に、目標出口冷媒過熱度ＳＨｈｓの変更を解除することによって、熱源側膨張弁２８を閉める方向に動作させる。これにより、冷媒回収制御を適切に完了させることができる。
ヒートポンプシステム１では、上記の冷媒回収制御を採用しているため、暖房運転時に、吸入戻し管２９を用いて熱源側アキュムレータ３２に熱源側冷媒を回収する制御を採用する場合に比べて、熱源側冷媒を熱源側アキュムレータ３２に安定的に回収して余剰冷媒として溜めることができる。
【００４６】
−Ｂ−
ヒートポンプシステム１では、冷媒回収制御時に、目標出口冷媒過熱度ＳＨｈｓを０℃未満に変更することによって、熱源側膨張弁２８を開く方向に動作させるようにしているため、熱源側熱交換器２６の出口における熱源側冷媒を確実に湿り状態にすることができる。
−Ｃ−
ヒートポンプシステム１では、冷媒回収制御を行わない時に、目標出口冷媒過熱度ＳＨｈｓを０℃〜１℃に設定して熱源側膨張弁２８を制御しているため、熱源側熱交換器２６の出口における熱源側冷媒が飽和ガス状態に近い状態になり、熱源側膨張弁２８の開度変化が少ない状態になる。これにより、冷媒回収制御を行わない時の運転状態が安定し、利用側膨張弁２８の動作傾向を用いた余剰冷媒の有無の判定における判定精度を高めることができる。
【００４７】
−Ｄ−
ヒートポンプシステム１では、冷媒回収終了開度ＯＰｃｅが冷媒回収開始開度ＯＰｃｓよりも小さいため、熱源側アキュムレータ３２への冷媒回収を十分に行うことができる。
−Ｅ−
上記の冷媒回収制御時には、熱源側冷媒回路２０への冷媒充填量が過多である等の何らかの要因によって、熱源側アキュムレータ３２に溜められた熱源側冷媒がオーバーフローするおそれがある。熱源側アキュムレータ３２から熱源側冷媒がオーバーフローすると、吐出冷媒過熱度ＳＨｃが低くなる傾向になる。
ヒートポンプシステム１では、吐出冷媒過熱度ＳＨｃの傾向を用いて、熱源側アキュムレータ３２からの熱源側冷媒のオーバーフローの有無を判定することができる。すなわち、ヒートポンプシステム１では、吐出冷媒過熱度ＳＨｃが下限吐出過熱度ＳＨｍよりも小さくなったことを検知することによって、熱源側アキュムレータ３２からの熱源側冷媒のオーバーフローが発生しているものと判定することができる。
【００４８】
そして、ヒートポンプシステム１では、吐出冷媒過熱度ＳＨｃが下限吐出過熱度ＳＨｍよりも小さい場合に、出口冷媒過熱度ＳＨｈが目標出口冷媒過熱度ＳＨｈｓになるように制御している熱源側膨張弁２８を用いてオーバーフロー防止制御を行う。すなわち、吐出冷媒過熱度ＳＨｈが下限吐出過熱度ＳＨｍよりも小さい場合に、出口冷媒過熱度ＳＨｈが大きくなるように目標出口冷媒過熱度ＳＨｈｓを変更することによって、熱源側膨張弁２８を閉める方向に動作させる。これにより、熱源側アキュムレータ３２に流入する熱源側冷媒の過熱度を高めて、冷媒回収制御を中止することができる。
ヒートポンプシステム１では、上記のオーバーフロー防止制御を採用しているため、冷媒回収制御時における熱源側アキュムレータ３２からの熱源側冷媒のオーバーフローを防ぐことができる。
【００４９】
−Ｆ−
加熱運転としての暖房運転時において、熱源側冷媒回路２０内に冷媒不足が発生すると、熱源側冷媒の凝縮器として機能する利用側熱交換器８１ａ、８１ｂに熱源側冷媒が溜まりにくくなる。このため、出口冷媒過冷却度ＳＣｕが目標出口冷媒過冷却度ＳＣｕｓになるように利用側膨張弁８２ａ、８２ｂを制御していると、利用側膨張弁８２ａ、８２ｂが閉まる方向に動作して、利用側膨張弁８２ａ、８２ｂの開度が適正な範囲よりも小さくなる傾向になる。しかし、熱源側冷媒が熱源側アキュムレータ３２内から排出されると、熱源側冷媒の凝縮器として機能する利用側熱交換器８１ａ、８１ｂに熱源側冷媒が溜まりやすくなる。このため、出口冷媒過冷却度ＳＣｕが目標出口冷媒過冷却度ＳＣｕｓになるように利用側膨張弁８２ａ、８２ｂを制御していると、利用側膨張弁８２ａ、８２ｂが開く方向に動作して、利用側膨張弁８２ａ、８２ｂの開度が適正な範囲まで大きくなる傾向になる。
【００５０】
ヒートポンプシステム１では、出口冷媒過冷却度ＳＣｕが目標出口冷媒過冷却度ＳＣｕｓになるように制御している時の利用側膨張弁８２ａ、８２ｂの動作傾向を用いて、余剰冷媒の有無を判定することができる。すなわち、ヒートポンプシステム１では、利用側膨張弁８２ａ、８２ｂが冷媒排出開始開度ＯＰｅｓよりも閉まったことを検知することによって、冷媒不足が発生しているものと判定することができる。また、ヒートポンプシステム１では、利用側膨張弁８２ａ、８２ｂが冷媒排出終了開度ＯＰｅｅよりも開いたことを検知することによって、冷媒不足が解消されたものと判定することができる。
そして、ヒートポンプシステム１では、利用側膨張弁８２ａ、８２ｂが冷媒排出開始開度ＯＰｅｓよりも閉まった場合に、出口冷媒過熱度ＳＨｈが目標出口冷媒過熱度ＳＨｈｓになるように制御している熱源側膨張弁２８を用いて冷媒排出制御を行う。すなわち、利用側膨張弁８２ａ、８２ｂが冷媒排出開始開度ＯＰｅｓよりも閉まった場合に、出口冷媒過熱度ＳＨｈが大きくなるように目標出口冷媒過熱度ＳＨｈｓを変更することによって、熱源側膨張弁２８を閉める方向に動作させる。これにより、熱源側アキュムレータ３２に流入する熱源側冷媒の過熱度を高めて、熱源側アキュムレータ３２内の熱源側冷媒を加熱して蒸発させて、熱源側アキュムレータ３２内に溜められた熱源側冷媒を安定的に排出して冷媒不足を解消することができる。また、ヒートポンプシステム１では、利用側膨張弁８２ａ、８２ｂが冷媒排出終了開度ＯＰｅｅよりも開いた場合に、目標出口冷媒過熱度ＳＨｈｓの変更を解除することによって、熱源側膨張弁２８を開く方向に動作させる。これにより、冷媒排出制御を適切に完了させることができる。
ヒートポンプシステム１では、上記の冷媒排出制御を採用しているため、暖房運転時に、冷媒不足の場合に熱源側アキュムレータ３２から熱源側冷媒を排出して冷媒不足を解消することができる。
−Ｇ−
ヒートポンプシステム１では、冷媒排出制御を行わない時に、目標出口冷媒過熱度ＳＨｈｓを０℃〜１℃に設定して熱源側膨張弁２８を制御しているため、熱源側熱交換器２６の出口における熱源側冷媒が飽和ガス状態に近い状態になり、熱源側膨張弁２８の開度変化が少ない状態になる。これにより、冷媒排出制御を行わない時の運転状態が安定し、利用側膨張弁８２ａ、８２ｂの動作傾向を用いた冷媒不足の有無の判定における判定精度を高めることができる。
【００５１】
−Ｈ−
ヒートポンプシステム１では、冷媒排出制御時に、目標出口冷媒過熱度ＳＨｈｓを２℃以上に変更することによって、熱源側膨張弁２８を閉める方向に動作させるようにしているため、熱源側熱交換器２６の出口における冷媒の過熱度を確実に高めることができる。
−Ｉ−
ヒートポンプシステム１では、冷媒排出開始開度ＯＰｅｓが冷媒排出終了開度ＯＰｅｅよりも小さいため、熱源側アキュムレータ３２からの熱源側冷媒の排出を十分に行うことができる。
−Ｊ−
ヒートポンプシステム１では、加熱運転としての暖房運転の開始時に、熱源側膨張弁２８を最大開度の３０％以下の開度に設定することによって、熱源側膨張弁２８が開く方向に制御されるようにしている。また、ヒートポンプシステム１では、暖房運転の開始時に、利用側膨張弁８２ａ、８２ｂを最大開度の５０％以上の開度に設定することによって、熱源側冷媒の凝縮器として機能する利用側熱交換器８１ａ、８１ｂからの熱源側冷媒の排出が促進されるようにしている。これにより、ヒートポンプシステム１では、暖房運転の開始時に、利用側熱交換器８１ａ、８１ｂに熱源側冷媒が溜まりにくくするとともに、熱源側熱交換器２６への熱源側冷媒の流入を促進して、余剰冷媒が発生しにくい安定した状態を得ることができる。
【００５２】
（２）第２実施形態
＜構成＞
−全体−
図４は、本発明の第２実施形態にかかるヒートポンプシステム１０１の概略構成図である。ヒートポンプシステム１０１は、蒸気圧縮式のヒートポンプサイクルを利用して水媒体を冷却する運転や水媒体を加熱する運転等を行うことが可能な装置である。ここでは、ヒートポンプシステム１０１は、水媒体の冷却によって冷却運転としての冷房運転を行うことが可能であり、また、水媒体の加熱によって加熱運転としての暖房運転及び／又は給湯運転等を行うことが可能である。
ヒートポンプシステム１０１は、主として、熱源ユニット２と、利用ユニット４ａ、４ｂと、液冷媒連絡管１３と、ガス冷媒連絡管１４と、水媒体冷暖房ユニット７ａ、７ｂと、貯湯ユニット９ａ、９ｂと、水媒体連絡管１５ａ、１６ａ、１５ｂ、１６ｂとを有している。そして、熱源ユニット２と利用ユニット４ａ、４ｂとは、冷媒連絡管１３、１４を介して接続されることによって、熱源側冷媒回路１２０を構成している。利用ユニット４ａ、４ｂと貯湯ユニット９ａ、９ｂと水媒体冷暖房ユニット７ａ、７ｂとが水媒体連絡管１５ａ、１６ａ、１５ｂ、１６ｂを介して接続されることによって、水媒体回路７０ａ、７０ｂを構成している。熱源側冷媒回路１２０には、ＨＦＣ系冷媒の一種であるＨＦＣ−４１０Ａが熱源側冷媒として封入されている。また、水媒体回路７０ａ、７０ｂには、水媒体としての水が循環するようになっている。
【００５３】
−熱源ユニット−
熱源ユニット２は、屋外に設置されており、冷媒連絡管１３、１４を介して利用ユニット４ａ、４ｂに接続されており、熱源側冷媒回路１２０の一部を構成している。尚、熱源ユニット２の構成は、第１実施形態の熱源ユニット２の構成と同様である。このため、ここでは、熱源ユニット２の詳細な説明を省略する。
−液冷媒連絡管−
液冷媒連絡管１３は、第１実施形態の液冷媒連絡管１３の構成と同様である。このため、ここでは、液冷媒連絡管１３の詳細な説明を省略する。
−ガス冷媒連絡管−
ガス冷媒連絡管１４は、第１実施形態のガス冷媒連絡管１４の構成と同様である。このため、ここでは、ガス冷媒連絡管１４の詳細な説明を省略する。
【００５４】
−利用ユニット−
利用ユニット４ａ、４ｂは、屋内に設置されており、冷媒連絡管１３、１４を介して熱源ユニット２に接続されており、熱源側冷媒回路１２０の一部を構成している。また、利用ユニット４ａ、４ｂは、水媒体連絡管１５ａ、１６ａ、１５ｂ、１６ｂを介して貯湯ユニット９ａ、９ｂ及び水媒体冷暖房ユニット７ａ、７ｂに接続されており、水媒体回路７０ａ、７０ｂの一部を構成している。尚、利用ユニット４ｂの構成は、利用ユニット４ａの構成と同様である。このため、ここでは、利用ユニット４ａの構成のみを説明し、利用ユニット８ｂの構成については、利用ユニット４ａの各部を示す符号の添字「ａ」の代わりに添字「ｂ」を付して、各部の説明を省略する。
利用ユニット４ａは、主として、利用側熱交換器４１ａと、利用側膨張弁４２ａと、循環ポンプ４３ａとを有している。
【００５５】
利用側熱交換器４１ａは、熱源側冷媒と水媒体との熱交換を行うことで熱源側冷媒の放熱器又は蒸発器として機能する熱交換器である。利用側熱交換器４１ａの熱源側冷媒が流れる流路の液側には、利用側液冷媒管４５ａが接続されており、利用側熱交換器４１ａの熱源側冷媒が流れる流路のガス側には、利用側ガス冷媒管５４ａが接続されている。また、利用側熱交換器４１ａの水媒体が流れる流路の入口側には、利用側水入口管４７ａが接続されており、利用側熱交換器４１ａの水媒体が流れる流路の出口側には、利用側水出口管４８ａが接続されている。利用側液冷媒管４５ａには、液冷媒連絡管１３が接続されており、利用側ガス冷媒管５４ａには、ガス冷媒連絡管１４が接続されている。また、利用側水入口管４７ａには、水媒体連絡管１５ａが接続されており、利用側水出口管４８ａには、水媒体連絡管１６ａが接続されている。
【００５６】
利用側膨張弁４２ａは、開度制御を行うことで利用側熱交換器４１ａを流れる熱源側冷媒の流量を可変することが可能な電動膨張弁であり、利用側液冷媒管４５ａに設けられている。
循環ポンプ４３ａは、水媒体の昇圧を行う機構であり、ここでは、遠心式や容積式のポンプ要素（図示せず）が循環ポンプモータ４４ａによって駆動されるポンプが採用されている。循環ポンプ４３ａは、利用側水出口管４８ａに設けられている。循環ポンプモータ４４ａは、インバータ装置（図示せず）によって、その回転数（すなわち、運転周波数）を可変でき、これにより、循環ポンプ４３ａの容量制御が可能になっている。
また、利用ユニット４ａには、各種のセンサが設けられている。具体的には、利用ユニット４ａには、利用側熱交換器４１ａの液側における熱源側冷媒の温度である利用側熱交液側温度Ｔｕｌを検出する利用側熱交温度センサ５０ａと、利用側熱交換器４１ａの入口における水媒体の温度である水媒体入口温度Ｔｗｒを検出する水媒体出口温度センサ５１ａと、利用側熱交換器４１ａの出口における水媒体の温度である水媒体出口温度Ｔｗｌを検出する水媒体出口温度センサ５２ａとが設けられている。また、利用ユニット４ａは、利用ユニット４ａを構成する各部の動作を制御する利用側制御部６９ａを有している。そして、利用側制御部６９ａは、利用ユニット４ａの制御を行うためのマイクロコンピュータやメモリ等を有している。利用側制御部６９ａは、リモコン（図示せず）との間で制御信号等のやりとりを行ったり、熱源ユニット２の熱源側制御部３９との間で制御信号等のやりとりを行うことができるようになっている。
【００５７】
−貯湯ユニット−
貯湯ユニット９ａ、９ｂは、屋内に設置されており、水媒体連絡管１５ａ、１６ａ、１５ｂ、１６ｂを介して利用ユニット４ａ、４ｂに接続されており、水媒体回路７０ａ、７０ｂの一部を構成している。尚、貯湯ユニット９ｂの構成は、貯湯ユニット９ａの構成と同様である。このため、ここでは、貯湯ユニット９ａの構成のみを説明し、貯湯ユニット９ｂの構成については、貯湯ユニット９ａの各部を示す符号の添字「ａ」の代わりに添字「ｂ」を付して、各部の説明を省略する。
貯湯ユニット９ａは、主として、貯湯タンク９１ａと、熱交換コイル９２ａとを有している。
貯湯タンク９１ａは、給湯に供される水媒体としての水を溜める容器であり、その上部には、蛇口やシャワー等に温水となった水媒体を送るための給湯管９３ａが接続されており、その下部には、給湯管９３ａによって消費された水媒体の補充を行うための給水管９４ａが接続されている。
【００５８】
熱交換コイル９２ａは、貯湯タンク９１ａ内に設けられており、水媒体回路７０ａを循環する水媒体と貯湯タンク９１ａ内の水媒体との熱交換を行うことで貯湯タンク９１ａ内の水媒体の加熱器として機能する熱交換器であり、その入口には、水媒体連絡管１６ａが接続されており、その出口には、水媒体連絡管１５ａが接続されている。
これにより、貯湯ユニット９ａは、利用ユニット４ａにおいて加熱された水媒体回路７０ａを循環する水媒体によって貯湯タンク９１ａ内の水媒体を加熱して温水として溜めることが可能になっている。尚、ここでは、貯湯ユニット９ａとして、利用ユニット４ａにおいて加熱された水媒体との熱交換によって加熱された水媒体を貯湯タンクに溜める型式の貯湯ユニットを採用しているが、利用ユニット４ａにおいて加熱された水媒体を貯湯タンクに溜める型式の貯湯ユニットを採用してもよい。また、ここでは、貯湯ユニット９ａが利用ユニット４ａとは別ユニットとして構成されているが、貯湯ユニット９ａが利用ユニット４ａに内蔵されていてもよい。
また、貯湯ユニット９ａには、各種のセンサが設けられている。具体的には、貯湯ユニット９ａには、貯湯タンク９１ａに溜められる水媒体の温度である貯湯温度Ｔｗｈを検出するための貯湯温度センサ９５ａが設けられている。
【００５９】
−水媒体冷暖房ユニット−
水媒体冷暖房ユニット７ａ、７ｂは、屋内に設置されている。水媒体冷暖房ユニット７ａ、７ｂは、水媒体連絡管１５ａ、１６ａ、１５ｂ、１６ｂを介して利用ユニット４ａ、４ｂに接続されており、水媒体回路７０ａ、７０ｂの一部を構成している。尚、水媒体冷暖房ユニット７ｂの構成は、水媒体冷暖房ユニット７ａの構成と同様である。このため、ここでは、水媒体冷暖房ユニット７ａの構成のみを説明し、水媒体冷暖房ユニット７ｂの構成については、水媒体冷暖房ユニット７ａの各部を示す符号の添字「ａ」の代わりに添字「ｂ」を付して、各部の説明を省略する。
水媒体冷暖房ユニット７ａは、主として、熱交換パネル７１ａを有しており、ラジエータや床冷暖房パネル等を構成している。
熱交換パネル７１ａは、ラジエータの場合には、室内の壁際等に設けられ、床冷暖房パネルの場合には、室内の床下等に設けられている。熱交換パネル７１ａは、水媒体回路７０ａを循環する水媒体の放熱器又は加熱器として機能する熱交換器であり、その入口には、水媒体連絡管１６ａが接続されており、その出口には、水媒体連絡管１５ａが接続されている。
【００６０】
−水媒体連絡管−
水媒体連絡管１５ａ、１５ｂは、貯湯ユニット９ａの熱交換コイル９２ａの出口及び水媒体冷暖房ユニット７ａ、７ｂの熱交換パネル７１ａ、７１ｂの出口に接続されている。水媒体連絡管１６ａ、１６ｂは、貯湯ユニット９ａの熱交換コイル９２ａの入口及び水媒体冷暖房ユニット７ａ、７ｂの熱交換パネル７１ａ、７１ｂの入口に接続されている。水媒体連絡管１６ａ、１６ｂには、水媒体回路７０ａ、７０ｂを循環する水媒体を貯湯ユニット９ａ、９ｂ及び水媒体冷暖房ユニット７ａ、７ｂの両方、又は、貯湯ユニット９ａ及び水媒体冷暖房ユニット７ａ、７ｂのいずれか一方に供給するかの切り換えを行うことが可能な水媒体切換機構１６１ａが設けられている。この水媒体切換機構１６１ａは、三方弁からなる。
そして、利用側制御部６９ａ、６９ｂと熱源側制御部３９とによって、ヒートポンプシステム１０１の運転制御を行う制御部１０１ａが構成されており、以下の運転や各種制御を行うようになっている。
【００６１】
＜動作＞
次に、ヒートポンプシステム１０１の動作について説明する。
ヒートポンプシステム１０１の運転としては、水媒体冷暖房ユニット７ａ及び／又は水媒体冷暖房ユニット７ｂを用いた暖房運転（加熱運転）のみを行う暖房運転モードと、貯湯ユニット９ａ及び／又は貯湯ユニット９ｂを用いた給湯運転（加熱運転）のみを行う給湯運転モードと、水媒体冷暖房ユニット７ａ及び貯湯ユニット９ａ及び／又は水媒体冷暖房ユニット７ｂ及び貯湯ユニット９ｂを用いた暖房運転及び給湯運転（加熱運転）を同時に行う給湯暖房運転モードと、水媒体冷暖房ユニット７ａ及び／又は水媒体冷暖房ユニット７ｂを用いた冷房運転（冷却運転）のみを行う冷房運転モードとがある。尚、暖房運転モード、給湯運転モード及び給湯暖房運転モードにおいて、利用ユニット４ａ、４ｂは、利用側熱交換器４１ａ、４１ｂを冷媒の放熱器として機能させる運転（加熱運転）を行い、冷房運転モードにおいて、利用ユニット４ａ、４ｂは、利用側熱交換器４１ａ、４１ｂを冷媒の蒸発器として機能させる運転（冷却運転）を行う。
【００６２】
−暖房運転モード−
水媒体冷暖房ユニット７ａ及び／又は水媒体冷暖房ユニット７ｂを用いた暖房運転のみを行う場合には、熱源側冷媒回路１２０においては、切換機構２３が熱源側放熱運転状態（図４の切換機構２３の破線で示された状態）に切り換えられ、吸入戻し膨張弁３０が閉止される。また、水媒体回路７０ａ、７０ｂにおいては、水媒体切換機構１６１ａ、１６１ｂが水媒体冷暖房ユニット７ａ、７ｂに水媒体を供給する状態に切り換えられる。
このような状態の熱源側冷媒回路１２０において、冷凍サイクルにおける低圧の熱源側冷媒は、吸入管２１ｃを通じて、圧縮機２１に吸入され、冷凍サイクルにおける高圧まで圧縮された後に、吐出管２１ｂに吐出される。吐出管２１ｂに吐出された高圧の熱源側冷媒は、油分離器２２ａにおいて冷凍機油が分離される。油分離器２２ａにおいて熱源側冷媒から分離された冷凍機油は、油戻し管２２ｂを通じて、吸入管２１ｃに戻される。冷凍機油が分離された高圧の熱源側冷媒は、切換機構２３、第２熱源側ガス冷媒管２５及びガス側閉鎖弁３４を通じて、熱源ユニット２からガス冷媒連絡管１４に送られる。
【００６３】
ガス冷媒連絡管１４に送られた高圧の熱源側冷媒は、利用ユニット４ａ、４ｂに送られる。利用ユニット４ａ、４ｂに送られた高圧の熱源側冷媒は、利用側ガス冷媒管５４ａ、５４ｂを通じて、利用側熱交換器４１ａ、４１ｂに送られる。利用側熱交換器４１ａ、４１ｂに送られた高圧の熱源側冷媒は、利用側熱交換器４１ａ、４１ｂにおいて、循環ポンプ４３ａ、４３ｂによって水媒体回路７０ａ、７０ｂを循環する水媒体と熱交換を行って放熱する。利用側熱交換器４１ａ、４１ｂにおいて放熱した高圧の熱源側冷媒は、利用側膨張弁４２ａ、４２ｂ及び利用側液冷媒管４５ａ、４５ｂを通じて、利用ユニット４ａ、４ｂから液冷媒連絡管１３に送られる。
液冷媒連絡管１３に送られた熱源側冷媒は、熱源ユニット２に送られる。熱源ユニット２に送られた熱源側冷媒は、液側閉鎖弁３３を通じて、過冷却器３１に送られる。過冷却器３１に送られた熱源側冷媒は、吸入戻し管２９に熱源側冷媒が流れていないため、熱交換を行うことなく、熱源側膨張弁２８に送られる。熱源側膨張弁２８に送られた熱源側冷媒は、熱源側膨張弁２８において減圧されて、低圧の気液二相状態になり、熱源側液冷媒管２７を通じて、熱源側熱交換器２６に送られる。熱源側熱交換器２６に送られた低圧の熱源側冷媒は、熱源側熱交換器２６において、熱源側ファン３６によって供給される室外空気と熱交換を行って蒸発する。熱源側熱交換器２６において蒸発した低圧の熱源側冷媒は、第１熱源側ガス冷媒管２４及び切換機構２３を通じて、熱源側アキュムレータ３２に送られる。熱源側アキュムレータ３２に送られた低圧の熱源側冷媒は、吸入管２１ｃを通じて、再び、圧縮機２１に吸入される。
【００６４】
一方、水媒体回路７０ａ、７０ｂにおいては、利用側熱交換器４１ａ、４１ｂにおける熱源側冷媒の放熱によって水媒体回路７０ａ、７０ｂを循環する水媒体が加熱される。利用側熱交換器４１ａ、４１ｂにおいて加熱された水媒体は、利用側水出口管４８ａ、４８ｂを通じて、循環ポンプ４３ａ、４３ｂに吸入され、昇圧された後に、利用ユニット４ａ、４ｂから水媒体連絡管１６ａ、１６ｂに送られる。水媒体連絡管１６ａ、１６ｂに送られた水媒体は、水媒体切換機構１６１ａ、１６１ｂを通じて、水媒体冷暖房ユニット７ａ、７ｂに送られる。水媒体冷暖房ユニット７ａ、７ｂに送られた水媒体は、熱交換パネル７１ａ、７１ｂにおいて放熱し、これにより、室内の壁際等を加熱したり室内の床を加熱する。
このようにして、水媒体冷暖房ユニット７ａ及び／又は水媒体冷暖房ユニット７ｂを用いた暖房運転のみを行う暖房運転モードにおける動作が行われる。
【００６５】
−給湯運転モード−
貯湯ユニット９ａ及び／又は貯湯ユニット９ｂを用いた給湯運転のみを行う場合には、熱源側冷媒回路１２０においては、切換機構２３が熱源側放熱運転状態（図４の切換機構２３の破線で示された状態）に切り換えられ、吸入戻し膨張弁３０が閉止される。また、水媒体回路７０ａ、７０ｂにおいては、水媒体切換機構１６１ａ、１６１ｂが貯湯ユニット９ａ、９ｂに水媒体を供給する状態に切り換えられる。
そして、このような状態の熱源側冷媒回路１２０においては、上記の暖房運転と同様の動作が行われる。
一方、水媒体回路７０ａ、７０ｂにおいては、利用ユニット４ａ、４ｂから水媒体連絡管１６ａ、１６ｂに送られた水媒体は、水媒体切換機構１６１ａ、１６１ｂを通じて、貯湯ユニット９ａ、９ｂに送られる。貯湯ユニット９ａ、９ｂに送られた水媒体は、熱交換コイル９２ａ、９２ｂにおいて貯湯タンク９１ａ、９１ｂ内の水媒体と熱交換を行って放熱し、これにより、貯湯タンク９１ａ、９１ｂ内の水媒体を加熱する。
このようにして、貯湯ユニット９ａ及び／又は貯湯ユニット９ｂを用いた給湯運転のみを行う給湯運転モードにおける動作が行われる。
【００６６】
−給湯暖房運転モード−
水媒体冷暖房ユニット７ａ及び貯湯ユニット９ａ及び／又は水媒体冷暖房ユニット７ｂ及び貯湯ユニット９ｂを用いた暖房運転及び給湯運転を同時に行う場合には、熱源側冷媒回路１２０においては、切換機構２３が熱源側放熱運転状態（図４の切換機構２３の破線で示された状態）に切り換えられ、吸入戻し膨張弁３０が閉止される。また、水媒体回路７０ａ、７０ｂにおいては、水媒体切換機構１６１ａ、１６１ｂが水媒体冷暖房ユニット７ａ、７ｂ及び貯湯ユニット９ａ、９ｂに水媒体を供給する状態に切り換えられる。
そして、このような状態の熱源側冷媒回路１２０においては、上記の暖房運転と同様の動作が行われる。
一方、水媒体回路７０ａ、７０ｂにおいては、利用ユニット４ａ、４ｂから水媒体連絡管１６ａ、１６ｂに送られた水媒体は、水媒体切換機構１６１ａ、１６１ｂを通じて、水媒体冷暖房ユニット７ａ、７ｂ及び貯湯ユニット９ａ、９ｂに送られる。水媒体冷暖房ユニット７ａ、７ｂに送られた水媒体は、熱交換パネル７１ａ、７１ｂにおいて放熱し、これにより、室内の壁際等を加熱したり室内の床を加熱する。また、貯湯ユニット９ａ、９ｂに送られた水媒体は、熱交換コイル９２ａ、９２ｂにおいて貯湯タンク９１ａ、９１ｂ内の水媒体と熱交換を行って放熱し、これにより、貯湯タンク９１ａ、９１ｂ内の水媒体を加熱する。
このようにして、水媒体冷暖房ユニット７ａ及び貯湯ユニット９ａ及び／又は水媒体冷暖房ユニット７ｂ及び貯湯ユニット９ｂを用いた暖房運転及び給湯運転を同時に行う給湯暖房運転モードにおける動作が行われる。
【００６７】
−冷房運転モード−
水媒体冷暖房ユニット７ａ及び／又は水媒体冷暖房ユニット７ｂを用いた冷房運転のみを行う場合には、熱源側冷媒回路１２０において、切換機構２３が熱源側放熱運転状態（図１の切換機構２３の実線で示された状態）に切り換えられる。また、水媒体回路７０ａ、７０ｂにおいては、水媒体切換機構１６１ａ、１６１ｂが水媒体冷暖房ユニット７ａ、７ｂに水媒体を供給する状態に切り換えられる。
このような状態の熱源側冷媒回路１２０において、冷凍サイクルにおける低圧の熱源側冷媒は、吸入管２１ｃを通じて、圧縮機２１に吸入され、冷凍サイクルにおける高圧まで圧縮された後に、吐出管２１ｂに吐出される。吐出管２１ｂに吐出された高圧の熱源側冷媒は、油分離器２２ａにおいて冷凍機油が分離される。油分離器２２ａにおいて熱源側冷媒から分離された冷凍機油は、油戻し管２２ｂを通じて、吸入管２１ｃに戻される。冷凍機油が分離された高圧の熱源側冷媒は、切換機構２３及び第１熱源側ガス冷媒管２４を通じて、熱源側熱交換器２６に送られる。熱源側熱交換器２６に送られた高圧の熱源側冷媒は、熱源側熱交換器２６において、熱源側ファン３６によって供給される室外空気と熱交換を行って放熱する。熱源側熱交換器２６において放熱した高圧の熱源側冷媒は、熱源側膨張弁２８を通じて、過冷却器３１に送られる。過冷却器３１に送られた熱源側冷媒は、熱源側液冷媒管２７から吸入戻し管２９に分岐された熱源側冷媒と熱交換を行って過冷却状態になるように冷却される。吸入戻し管２９を流れる熱源側冷媒は、吸入管２１ｃに戻される。過冷却器３１において冷却された熱源側冷媒は、熱源側液冷媒管２７及び液側閉鎖弁３３を通じて、熱源ユニット２から液冷媒連絡管１３に送られる。
【００６８】
液冷媒連絡管１３に送られた高圧の熱源側冷媒は、利用ユニット４ａ、４ｂに送られる。利用ユニット４ａ、４ｂに送られた高圧の熱源側冷媒は、利用側膨張弁４２ａ、４２ｂに送られる。利用側膨張弁４２ａ、４２ｂに送られた高圧の熱源側冷媒は、利用側膨張弁４２ａ、４２ｂにおいて減圧されて、低圧の気液二相状態になり、利用側液冷媒管４３ａ、４３ｂを通じて、利用側熱交換器４１ａ、４１ｂに送られる。利用側熱交換器４１ａ、４１ｂに送られた低圧の熱源側冷媒は、利用側熱交換器４１ａ、４１ｂにおいて、循環ポンプ４３ａ、４３ｂによって水媒体回路７０ａ、７０ｂを循環する水媒体と熱交換を行って蒸発する。利用側熱交換器４１ａ、４１ｂにおいて蒸発した低圧の熱源側冷媒は、利用側ガス冷媒管５４ａ、５４ｂを通じて、利用ユニット４ａ、４ｂからガス冷媒連絡管１４に送られる。
【００６９】
ガス冷媒連絡管１４に送られた低圧の熱源側冷媒は、熱源ユニット２に送られる。熱源ユニット２に送られた低圧の熱源側冷媒は、ガス側閉鎖弁３４、第２熱源側ガス冷媒管２５及び切換機構２３を通じて、熱源側アキュムレータ３２に送られる。熱源側アキュムレータ３２に送られた低圧の熱源側冷媒は、吸入管２１ｃを通じて、再び、圧縮機２１に吸入される。
一方、水媒体回路７０ａ、７０ｂにおいては、利用側熱交換器４１ａ、４１ｂにおける熱源側冷媒の蒸発によって水媒体回路７０ａ、７０ｂを循環する水媒体が冷却される。利用側熱交換器４１ａ、４１ｂにおいて冷却された水媒体は、利用側水出口管４８ａ、４８ｂを通じて、循環ポンプ４３ａ、４３ｂに吸入され、昇圧された後に、利用ユニット４ａ、４ｂから水媒体連絡管１６ａ、１６ｂに送られる。水媒体連絡管１６ａ、１６ｂに送られた水媒体は、水媒体切換機構１６１ａ、１６１ｂを通じて、水媒体冷暖房ユニット７ａ、７ｂに送られる。水媒体冷暖房ユニット７ａ、７ｂに送られた水媒体は、熱交換パネル７１ａ、７１ｂにおいて吸熱し、これにより、室内の壁際等を冷却したり室内の床を冷却する。
このようにして、水媒体冷暖房ユニット７ａ及び／又は水媒体冷暖房ユニット７ｂを用いた冷房運転のみを行う冷房運転モードにおける動作が行われる。
【００７０】
−各種制御−
ヒートポンプシステム１０１においても、第１実施形態のヒートポンプシステム１と同様、上記の加熱運転としての暖房運転、給湯運転及び給湯暖房運転において、利用側膨張弁４２ａ、４２ｂによる過冷却度制御、熱源側膨張弁２６による過熱度制御、余剰冷媒や冷媒不足に対する制御（すなわち、冷媒回収制御、オーバーフロー防止制御及び冷媒排出制御）、及び、加熱運転開始時の制御を行うようにしている。これらの制御は、第１実施形態のヒートポンプシステム１における制御と同様であるため、ここでは詳細な説明を省略する。
【００７１】
＜特徴＞
−Ａ−
ヒートポンプシステム１０１は、水媒体を介して冷暖房を行っている点が、第１実施形態のヒートポンプシステム１とは異なっている。しかも、ヒートポンプシステム１０１は、冷暖房だけでなく、給湯運転を行うことができる。
−Ｂ−
ヒートポンプシステム１０１においても、第１実施形態のヒートポンプシステム１と同様、熱源側アキュムレータ３２を有することで加熱運転（ここでは、暖房運転、給湯運転及び給湯暖房運転）時の余剰冷媒や冷媒不足の処理等の問題が生じる。しかし、ヒートポンプシステム１０１においても、第１実施形態のヒートポンプシステム１と同様の各種制御を行っている。このため、ヒートポンプシステム１０１においても、余剰冷媒や冷媒不足の処理等の問題について、第１実施形態のヒートポンプシステム１同様の作用効果を得ることができる。
【００７２】
（３）第３実施形態
＜ヒートポンプシステムの構成＞
−全体−
図５は、本発明の第３実施形態にかかるヒートポンプシステム２０１の概略構成図である。ヒートポンプシステム２０１は、蒸気圧縮式のヒートポンプサイクルを利用して水媒体を加熱する運転等を行うことが可能な装置である。ここでは、ヒートポンプシステム２０１は、水媒体の加熱によって加熱運転としての暖房運転及び／又は給湯運転等を行うことが可能である。
ヒートポンプシステム２０１は、主として、熱源ユニット２と、利用ユニット１０４ａ、１０４ｂと、液冷媒連絡管１３と、ガス冷媒連絡管１４と、水媒体暖房ユニット７ａ、７ｂと、貯湯ユニット９ａ、９ｂと、水媒体連絡管１５ａ、１６ａ、１５ｂ、１６ｂとを有している。そして、熱源ユニット２と利用ユニット１０４ａ、１０４ｂとは、冷媒連絡管１３、１４を介して接続されることによって、熱源側冷媒回路１２０を構成している。利用ユニット１０４ａ、１０４ｂは、利用側冷媒回路５０ａ、５０ｂを構成している。利用ユニット１０４ａ、１０４ｂと水媒体暖房ユニット７ａ、７ｂとは、水媒体連絡管１５ａ、１６ａ、１５ｂ、１６ｂを介して接続されることによって、水媒体回路７０ａ、７０ｂを構成している。熱源側冷媒回路１２０には、ＨＦＣ系冷媒の一種であるＨＦＣ−４１０Ａが熱源側冷媒として封入されている。また、利用側冷媒回路５０ａ、５０ｂには、ＨＦＣ系冷媒の一種であるＨＦＣ−１３４ａが利用側冷媒として封入されている。尚、利用側冷媒としては、高温の冷凍サイクルに有利な冷媒を使用されるという観点から、飽和ガス温度６５℃に相当する圧力がゲージ圧で高くとも２．８ＭＰａ以下、好ましくは、２．０ＭＰａ以下の冷媒を使用することが好ましい。そして、ＨＦＣ−１３４ａは、このような飽和圧力特性を有する冷媒の一種である。また、水媒体回路７０ａ、７０ｂには、水媒体としての水が循環するようになっている。
【００７３】
−熱源ユニット−
熱源ユニット２は、屋外に設置されており、冷媒連絡管１３、１４を介して利用ユニット１０４ａ、１０４ｂに接続されており、熱源側冷媒回路１２０の一部を構成している。尚、熱源ユニット２の構成は、第１実施形態の熱源ユニット２の構成と同様である。このため、ここでは、熱源ユニット２の詳細な説明を省略する。
−液冷媒連絡管−
液冷媒連絡管１３は、第１実施形態の液冷媒連絡管１３の構成と同様である。このため、ここでは、液冷媒連絡管１３の詳細な説明を省略する。
−ガス冷媒連絡管−
ガス冷媒連絡管１４は、第１実施形態のガス冷媒連絡管１４の構成と同様である。このため、ここでは、ガス冷媒連絡管１４の詳細な説明を省略する。
【００７４】
−利用ユニット−
利用ユニット４ａ、４ｂは、屋内に設置されており、冷媒連絡管１３、１４を介して熱源ユニット２に接続されており、熱源側冷媒回路１２０の一部を構成している。また、利用ユニット４ａ、４ｂは、利用側冷媒回路５０ａ、５０ｂを構成している。さらに、利用ユニット４ａ、４ｂは、水媒体連絡管１５ａ、１６ａ、１５ｂ、１６ｂを介して貯湯ユニット９ａ、９ｂ及び水媒体冷暖房ユニット７ａ、７ｂに接続されており、水媒体回路７０ａ、７０ｂの一部を構成している。尚、利用ユニット４ｂの構成は、利用ユニット４ａの構成と同様である。このため、ここでは、利用ユニット４ａの構成のみを説明し、利用ユニット８ｂの構成については、利用ユニット４ａの各部を示す符号の添字「ａ」の代わりに添字「ｂ」を付して、各部の説明を省略する。
【００７５】
利用ユニット４ａは、主として、利用側熱交換器４１ａと、利用側膨張弁４２ａと、利用側圧縮機６２ａと、冷媒−水熱交換器６５ａと、冷媒−水熱交側膨張弁６６ａと、利用側アキュムレータ６７ａと、循環ポンプ４３ａとを有している。
利用側熱交換器４１ａは、熱源側冷媒と利用側冷媒との熱交換を行うことで熱源側冷媒の放熱器として機能する熱交換器である。利用側熱交換器４１ａの熱源側冷媒が流れる流路の液側には、利用側液冷媒管４５ａが接続されており、利用側熱交換器４１ａの熱源側冷媒が流れる流路のガス側には、利用側ガス冷媒管５４ａが接続されている。また、利用側熱交換器４１ａの利用側冷媒が流れる流路の液側には、カスケード側液冷媒管６８ａが接続されており、利用側熱交換器４１ａの利用側冷媒が流れる流路のガス側には、カスケード側ガス冷媒管７１ａが接続されている。利用側液冷媒管４５ａは、液冷媒連絡管１３）に接続されている。利用側ガス冷媒管５４ａは、ガス冷媒連絡管１４に接続されている。カスケード側液冷媒管６８ａには、冷媒−水熱交換器６５ａが接続されており、カスケード側ガス冷媒管７１ａには、利用側圧縮機６２ａが接続されている。
【００７６】
利用側膨張弁４２ａは、開度制御を行うことで利用側熱交換器４１ａを流れる熱源側冷媒の流量を可変することが可能な電動膨張弁であり、利用側液冷媒管４５ａに設けられている。
利用側圧縮機６２ａは、利用側冷媒を圧縮する機構である。ここでは、利用側圧縮機６２ａとして、ケーシング（図示せず）内に収容されたロータリ式やスクロール式等の容積式の圧縮要素（図示せず）が、同じくケーシング内に収容された利用側圧縮機モータ６３ａによって駆動される密閉式圧縮機が採用されている。利用側圧縮機モータ６３ａは、インバータ装置（図示せず）によって、その回転数（すなわち、運転周波数）を可変でき、これにより、利用側圧縮機６２ａの容量制御が可能になっている。また、利用側圧縮機６２ａの吐出には、カスケード側吐出管７０ａが接続されており、利用側圧縮機６２ａの吸入には、カスケード側ガス冷媒管７１ａが接続されている。
【００７７】
冷媒−水熱交換器６５ａは、利用側冷媒と水媒体との熱交換を行うことで利用側冷媒の放熱器として機能する熱交換器である。冷媒−水熱交換器６５ａの利用側冷媒が流れる流路の液側には、カスケード側液冷媒管６８ａが接続されており、冷媒−水熱交換器６５ａの利用側冷媒が流れる流路のガス側には、カスケード側吐出管７０ａが接続されている。また、冷媒−水熱交換器６５ａの水媒体が流れる流路の入口側には、利用側水入口管４７ａが接続されており、冷媒−水熱交換器６５ａの水媒体が流れる流路の出口側には、利用側水出口管４８ａが接続されている。利用側水入口管４７ａには、水媒体連絡管１５ａが接続されており、利用側水出口管４８ａには、水媒体連絡管１６ａが接続されている。
冷媒−水熱交側膨張弁６６ａは、開度制御を行うことで冷媒−水熱交換器６５ａを流れる利用側冷媒の流量を可変することが可能な電動膨張弁であり、カスケード側液冷媒管６６ａに設けられている。
【００７８】
利用側アキュムレータ６７ａは、カスケード側ガス冷媒管７１ａに設けられており、利用側冷媒回路５０ａを循環する利用側冷媒が利用側圧縮機５５ａに吸入される前に一時的に溜めるための容器である。
このように、利用側圧縮機６２ａ、冷媒−水熱交換器６５ａ、冷媒−水熱交側膨張弁６６ａ、利用側熱交換器４１ａ及び利用側アキュムレータ６７ａが冷媒管７０ａ、６８ａ、７１ａを介して接続されることによって、利用側冷媒回路５０ａが構成されている。
循環ポンプ４３ａは、水媒体の昇圧を行う機構であり、ここでは、遠心式や容積式のポンプ要素（図示せず）が循環ポンプモータ４４ａによって駆動されるポンプが採用されている。循環ポンプ４３ａは、利用側水出口管４８ａに設けられている。循環ポンプモータ４４ａは、インバータ装置（図示せず）によって、その回転数（すなわち、運転周波数）を可変でき、これにより、循環ポンプ４３ａの容量制御が可能になっている。
【００７９】
また、利用ユニット１０４ａには、各種のセンサが設けられている。具体的には、利用ユニット１０４ａには、利用側熱交換器４１ａの液側における熱源側冷媒の温度である利用側熱交液側温度Ｔｕｌを検出する利用側熱交温度センサ５０ａと、冷媒−水熱交換器６５ａの入口における水媒体の温度である水媒体入口温度Ｔｗｒを検出する水媒体出口温度センサ５１ａと、冷媒−水熱交換器６５ａの出口における水媒体の温度である水媒体出口温度Ｔｗｌを検出する水媒体出口温度センサ５２ａと、利用側圧縮機６２ａの吸入における利用側冷媒の圧力である利用側吸入圧力Ｐｓ２を検出する利用側吸入圧力センサ７４ａと、利用側圧縮機６２ａの吐出における利用側冷媒の圧力である利用側吐出圧力Ｐｄ２を検出する利用側吐出圧力センサ７５ａと、利用側圧縮機６２ａの吐出における利用側冷媒の温度である利用側吐出温度Ｔｄ２を検出する利用側吐出温度センサ７６ａとが設けられている。が設けられている。また、利用ユニット１０４ａは、利用ユニット１０４ａを構成する各部の動作を制御する利用側制御部６９ａを有している。そして、利用側制御部６９ａは、利用ユニット１０４ａの制御を行うためのマイクロコンピュータやメモリ等を有している。利用側制御部６９ａは、リモコン（図示せず）との間で制御信号等のやりとりを行ったり、熱源ユニット２の熱源側制御部３９との間で制御信号等のやりとりを行うことができるようになっている。
【００８０】
−貯湯ユニット−
貯湯ユニット９ａ、９ｂは、屋内に設置されており、水媒体連絡管１５ａ、１６ａ、１５ｂ、１６ｂを介して利用ユニット１０４ａ、１０４ｂに接続されており、水媒体回路７０ａ、７０ｂの一部を構成している。尚、貯湯ユニット９ａ、９ｂは、第２実施形態の貯湯ユニット９ａ、９ｂの構成と同様である。このため、ここでは、貯湯ユニット９ａ、９ｂの詳細な説明を省略する。
−水媒体暖房ユニット−
水媒体暖房ユニット７ａ、７ｂは、屋内に設置されている。水媒体冷暖房ユニット７ａ、７ｂは、水媒体連絡管１５ａ、１６ａ、１５ｂ、１６ｂを介して利用ユニット１０４ａ、１０４ｂに接続されており、水媒体回路７０ａ、７０ｂの一部を構成している。尚、水媒体暖房ユニット７ａ、７ｂは、第２実施形態の水媒体冷暖房ユニット７ａ、７ｂの構成と同様である。このため、ここでは、水媒体暖房ユニット７ａ、７ｂの詳細な説明を省略する。
【００８１】
−水媒体連絡管−
水媒体連絡管１５ａ、１５ｂ、１６ａ、１６ｂは、第２実施形態の水媒体連絡管１５ａ、１５ｂ、１６ａ、１６ｂの構成と同様である。このため、ここでは、水媒体連絡管１５ａ、１５ｂ、１６ａ、１６ｂの詳細な説明を省略する。
そして、利用側制御部６９ａ、６９ｂと熱源側制御部３９とによって、ヒートポンプシステム２０１の運転制御を行う制御部２０１ａが構成されており、以下の運転や各種制御を行うようになっている。
＜動作＞
次に、ヒートポンプシステム２０１の動作について説明する。
ヒートポンプシステム２０１の運転としては、水媒体暖房ユニット７ａ及び／又は水媒体暖房ユニット７ｂを用いた暖房運転（加熱運転）のみを行う暖房運転モードと、貯湯ユニット９ａ及び／又は貯湯ユニット９ｂを用いた給湯運転（加熱運転）のみを行う給湯運転モードと、水媒体暖房ユニット７ａ及び貯湯ユニット９ａ及び／又は水媒体暖房ユニット７ｂ及び貯湯ユニット９ｂを用いた暖房運転及び給湯運転（加熱運転）を同時に行う給湯暖房運転モードとがある。尚、暖房運転モード、給湯運転モード及び給湯暖房運転モードにおいて、利用ユニット１０４ａ、１０４ｂは、利用側熱交換器４１ａ、４１ｂを冷媒の放熱器として機能させる運転（加熱運転）を行う。
【００８２】
−暖房運転モード−
水媒体暖房ユニット７ａ及び／又は水媒体暖房ユニット７ｂを用いた暖房運転のみを行う場合には、熱源側冷媒回路１２０においては、切換機構２３が熱源側放熱運転状態（図５の切換機構２３の破線で示された状態）に切り換えられ、吸入戻し膨張弁３０が閉止される。また、水媒体回路７０ａ、７０ｂにおいては、水媒体切換機構１６１ａ、１６１ｂが水媒体暖房ユニット７ａ、７ｂに水媒体を供給する状態に切り換えられる。
このような状態の熱源側冷媒回路１２０において、冷凍サイクルにおける低圧の熱源側冷媒は、吸入管２１ｃを通じて、圧縮機２１に吸入され、冷凍サイクルにおける高圧まで圧縮された後に、吐出管２１ｂに吐出される。吐出管２１ｂに吐出された高圧の熱源側冷媒は、油分離器２２ａにおいて冷凍機油が分離される。油分離器２２ａにおいて熱源側冷媒から分離された冷凍機油は、油戻し管２２ｂを通じて、吸入管２１ｃに戻される。冷凍機油が分離された高圧の熱源側冷媒は、切換機構２３、第２熱源側ガス冷媒管２５及びガス側閉鎖弁３４を通じて、熱源ユニット２からガス冷媒連絡管１４に送られる。
【００８３】
ガス冷媒連絡管１４に送られた高圧の熱源側冷媒は、利用ユニット１０４ａ、１０４ｂに送られる。利用ユニット１０４ａ、１０４ｂに送られた高圧の熱源側冷媒は、利用側ガス冷媒管５４ａ、５４ｂを通じて、利用側熱交換器４１ａ、４１ｂに送られる。利用側熱交換器４１ａ、４１ｂに送られた高圧の熱源側冷媒は、利用側熱交換器４１ａ、４１ｂにおいて、利用側冷媒回路５０ａ、５０ｂを循環する冷凍サイクルにおける低圧の利用側冷媒と熱交換を行って放熱する。利用側熱交換器４１ａ、４１ｂにおいて放熱した高圧の熱源側冷媒は、利用側膨張弁４２ａ、４２ｂ及び利用側液冷媒管４５ａ、４５ｂを通じて、利用ユニット１０４ａ、１０４ｂから液冷媒連絡管１３に送られる。
液冷媒連絡管１３に送られた熱源側冷媒は、熱源ユニット２に送られる。熱源ユニット２に送られた熱源側冷媒は、液側閉鎖弁３３を通じて、過冷却器３１に送られる。過冷却器３１に送られた熱源側冷媒は、吸入戻し管２９に熱源側冷媒が流れていないため、熱交換を行うことなく、熱源側膨張弁２８に送られる。熱源側膨張弁２８に送られた熱源側冷媒は、熱源側膨張弁２８において減圧されて、低圧の気液二相状態になり、熱源側液冷媒管２７を通じて、熱源側熱交換器２６に送られる。熱源側熱交換器２６に送られた低圧の熱源側冷媒は、熱源側熱交換器２６において、熱源側ファン３６によって供給される室外空気と熱交換を行って蒸発する。熱源側熱交換器２６において蒸発した低圧の熱源側冷媒は、第１熱源側ガス冷媒管２４及び切換機構２３を通じて、熱源側アキュムレータ３２に送られる。熱源側アキュムレータ３２に送られた低圧の熱源側冷媒は、吸入管２１ｃを通じて、再び、圧縮機２１に吸入される。
【００８４】
一方、利用側冷媒回路５０ａ、５０ｂにおいては、利用側熱交換器４１ａ、４１ｂにおける熱源側冷媒の放熱によって利用側冷媒回路５０ａ、５０ｂを循環する冷凍サイクルにおける低圧の利用側冷媒が加熱されて蒸発する。利用側熱交換器４１ａ、４１ｂにおいて蒸発した低圧の利用側冷媒は、カスケード側ガス冷媒管７１ａ、７１ｂを通じて、利用側アキュムレータ６７ａ、６７ｂに送られる。利用側アキュムレータ６７ａ、６７ｂに送られた低圧の利用側冷媒は、利用側圧縮機６２ａ、６２ｂに吸入され、冷凍サイクルにおける高圧まで圧縮された後に、カスケード側吐出管７０ａ、７０ｂに吐出される。カスケード側吐出管７０ａ、７０ｂに吐出された高圧の利用側冷媒は、冷媒−水熱交換器６５ａ、６５ｂに送られる。冷媒−水熱交換器６５ａ、６５ｂに送られた高圧の利用側冷媒は、冷媒−水熱交換器６５ａ、６５ｂにおいて、循環ポンプ４３ａ、４３ｂによって水媒体回路７０ａ、７０ｂを循環する水媒体と熱交換を行って放熱する。冷媒−水熱交換器６５ａ、６５ｂにおいて放熱した高圧の利用側冷媒は、冷媒−水熱交側膨張弁６６ａ、６６ｂにおいて減圧されて、低圧の気液二相状態になり、カスケード側液冷媒管６８ａ、６８ｂを通じて、再び、利用側熱交換器４１ａ、４１ｂに送られる。
【００８５】
また、水媒体回路７０ａ、７０ｂにおいては、利用側熱交換器４１ａ、４１ｂにおける熱源側冷媒の放熱によって水媒体回路７０ａ、７０ｂを循環する水媒体が加熱される。利用側熱交換器４１ａ、４１ｂにおいて加熱された水媒体は、利用側水出口管４８ａ、４８ｂを通じて、循環ポンプ４３ａ、４３ｂに吸入され、昇圧された後に、利用ユニット１０４ａ、１０４ｂから水媒体連絡管１６ａ、１６ｂに送られる。水媒体連絡管１６ａ、１６ｂに送られた水媒体は、水媒体切換機構１６１ａ、１６１ｂを通じて、水媒体暖房ユニット７ａ、７ｂに送られる。水媒体暖房ユニット７ａ、７ｂに送られた水媒体は、熱交換パネル７１ａ、７１ｂにおいて放熱し、これにより、室内の壁際等を加熱したり室内の床を加熱する。
このようにして、水媒体暖房ユニット７ａ及び／又は水媒体暖房ユニット７ｂを用いた暖房運転のみを行う暖房運転モードにおける動作が行われる。
【００８６】
−給湯運転モード−
貯湯ユニット９ａ及び／又は貯湯ユニット９ｂを用いた給湯運転のみを行う場合には、熱源側冷媒回路１２０においては、切換機構２３が熱源側放熱運転状態（図５の切換機構２３の破線で示された状態）に切り換えられ、吸入戻し膨張弁３０が閉止される。また、水媒体回路７０ａ、７０ｂにおいては、水媒体切換機構１６１ａ、１６１ｂが貯湯ユニット９ａ、９ｂに水媒体を供給する状態に切り換えられる。
そして、このような状態の熱源側冷媒回路１２０においては、上記の暖房運転と同様の動作が行われる。
一方、水媒体回路７０ａ、７０ｂにおいては、利用ユニット１０４ａ、１０４ｂから水媒体連絡管１６ａ、１６ｂに送られた水媒体は、水媒体切換機構１６１ａ、１６１ｂを通じて、貯湯ユニット９ａ、９ｂに送られる。貯湯ユニット９ａ、９ｂに送られた水媒体は、熱交換コイル９２ａ、９２ｂにおいて貯湯タンク９１ａ、９１ｂ内の水媒体と熱交換を行って放熱し、これにより、貯湯タンク９１ａ、９１ｂ内の水媒体を加熱する。
【００８７】
このようにして、貯湯ユニット９ａ及び／又は貯湯ユニット９ｂを用いた給湯運転のみを行う給湯運転モードにおける動作が行われる。
−給湯暖房運転モード−
水媒体冷暖房ユニット７ａ及び貯湯ユニット９ａ及び／又は水媒体冷暖房ユニット７ｂ及び貯湯ユニット９ｂを用いた暖房運転及び給湯運転を同時に行う場合には、熱源側冷媒回路１２０においては、切換機構２３が熱源側放熱運転状態（図５の切換機構２３の破線で示された状態）に切り換えられ、吸入戻し膨張弁３０が閉止される。また、水媒体回路７０ａ、７０ｂにおいては、水媒体切換機構１６１ａ、１６１ｂが水媒体冷暖房ユニット７ａ、７ｂ及び貯湯ユニット９ａ、９ｂに水媒体を供給する状態に切り換えられる。
そして、このような状態の熱源側冷媒回路１２０においては、上記の暖房運転と同様の動作が行われる。
【００８８】
一方、水媒体回路７０ａ、７０ｂにおいては、利用ユニット１０４ａ、１０４ｂから水媒体連絡管１６ａ、１６ｂに送られた水媒体は、水媒体切換機構１６１ａ、１６１ｂを通じて、水媒体暖房ユニット７ａ、７ｂ及び貯湯ユニット９ａ、９ｂに送られる。水媒体暖房ユニット７ａ、７ｂに送られた水媒体は、熱交換パネル７１ａ、７１ｂにおいて放熱し、これにより、室内の壁際等を加熱したり室内の床を加熱する。また、貯湯ユニット９ａ、９ｂに送られた水媒体は、熱交換コイル９２ａ、９２ｂにおいて貯湯タンク９１ａ、９１ｂ内の水媒体と熱交換を行って放熱し、これにより、貯湯タンク９１ａ、９１ｂ内の水媒体を加熱する。
このようにして、水媒体暖房ユニット７ａ及び貯湯ユニット９ａ及び／又は水媒体暖房ユニット７ｂ及び貯湯ユニット９ｂを用いた暖房運転及び給湯運転を同時に行う給湯暖房運転モードにおける動作が行われる。
【００８９】
−各種制御−
ヒートポンプシステム２０１においても、第１実施形態のヒートポンプシステム１と同様、上記の加熱運転としての暖房運転、給湯運転及び給湯暖房運転において、利用側膨張弁４２ａ、４２ｂによる過冷却度制御、熱源側膨張弁２６による過熱度制御、余剰冷媒や冷媒不足に対する制御（すなわち、冷媒回収制御、オーバーフロー防止制御及び冷媒排出制御）、及び、加熱運転開始時の制御を行うようにしている。これらの制御は、第１実施形態のヒートポンプシステム１における制御と同様であるため、ここでは詳細な説明を省略する。
【００９０】
＜特徴＞
−Ａ−
ヒートポンプシステム２０１は、熱源側冷媒回路１２０及び利用側冷媒回路５０ａ、５０ｂからなる二元冷凍サイクルを使用している点が、第２実施形態のヒートポンプシステム１０１とは異なっている。このため、ヒートポンプシステム２０１は、第２実施形態のヒートポンプシステム１０１に比べて、高温の水媒体を得ることが容易である。
−Ｂ−
ヒートポンプシステム２０１においても、第１実施形態のヒートポンプシステム１と同様、熱源側アキュムレータ３２を有することで加熱運転（ここでは、暖房運転、給湯運転及び給湯暖房運転）時の余剰冷媒や冷媒不足の処理等の問題が生じる。しかし、ヒートポンプシステム２０１においても、第１実施形態のヒートポンプシステム１と同様の各種制御を行っている。このため、ヒートポンプシステム２０１においても、余剰冷媒や冷媒不足の処理等の問題について、第１実施形態のヒートポンプシステム１同様の作用効果を得ることができる。
【００９１】
（４）他の実施形態
以上、本発明の実施形態について図面に基づいて説明したが、具体的な構成は、これらの実施形態に限られるものではなく、発明の要旨を逸脱しない範囲で変更可能である。
−Ａ−
上記のヒートポンプシステム１において、利用ユニット４ａ、４ｂ及び／又は利用ユニット１０４ａ、１０４ｂをさらに接続してもよい。また、上記のヒートポンプシステム２０１において、利用ユニット１０４ａ、１０４ｂをさらに接続してもよい。さらに、ヒートポンプシステム１、１０１、２０１を冷暖同時運転可能な構成にしてもよい。
−Ｂ−
上記のヒートポンプシステム２０１においては、利用側冷媒としてＨＦＣ−１３４ａが使用されているが、これに限定されず、例えば、ＨＦＯ−１２３４ｙｆ（２、３、３、３−テトラフルオロ−１−プロペン）等、飽和ガス温度６５℃に相当する圧力がゲージ圧で高くとも２．８ＭＰａ以下、好ましくは、２．０ＭＰａ以下の冷媒であればよい。
【産業上の利用可能性】
【００９２】
本発明は、アキュムレータを有する熱源ユニットに利用ユニットを接続して構成されたヒートポンプシステムに広く適用可能である。
【符号の説明】
【００９３】
１、１０１、２０１  ヒートポンプシステム
１ａ、１０１ａ、２０１ａ  制御部
２  熱源ユニット
４ａ、４ｂ、８ａ、８ｂ、１０４ａ、１０４ｂ  利用ユニット
２０、１２０  熱源側冷媒回路（冷媒回路）
２１  熱源側圧縮機（圧縮機）
２６  熱源側熱交換器
２８  熱源側膨張弁
３２  熱源側アキュムレータ（アキュムレータ）
４１ａ、４１ｂ、８１ａ、８１ｂ  利用側熱交換器
４２ａ、４２ｂ、８２ａ、８２ｂ  利用側膨張弁
【先行技術文献】
【特許文献】
【００９４】
【特許文献１】特開２００７−１６３０９９号公報
【図１】
2011092742.tif 000003
【図２】
2011092742.tif 000004
【図３】
2011092742.tif 000005
【図４】
2011092742.tif 000006
【図５】
2011092742.tif 000007
【国際調査報告】
2011092742.tif 000008
2011092742.tif 000009
2011092742.tif 000010
2011092742.tif 000011